(57)【要約】  ターゲットセルラのアクセスモードおよびクローズド加入者グループ識別子(CSG ID)を取得することを含むハンドオーバ制御方法が本発明の実施形態によって提供される。ターゲットセルラのアクセスモードがハイブリッドアクセスモードである場合、ユーザ端末はターゲットセルラへのハンドオーバを行うことを許可される。あるいはターゲットセルラのアクセスモードがクローズドアクセスモードである場合、ターゲットセルラのCSG IDがユーザ端末の許容CSGリストに含まれているかどうかが判定され、ターゲットセルラのCSG IDがユーザ端末の許容CSGリストに含まれている場合、ユーザ端末はターゲットセルラへのハンドオーバを行うことを許可される。あるいは、ターゲットセルラのCSG IDがユーザ端末の許容CSGリストに含まれていない場合、ターゲットセルラのアクセスモードが判定され、ターゲットセルラのアクセスモードがハイブリッドアクセスモードである場合、ユーザ端末はターゲットセルラへのハンドオーバを行うことを許可される。あるいは、ユーザ端末の許容CSGリストが存在しない場合、ターゲットセルラのアクセスモードが判定され、ターゲットセルラのアクセスモードがハイブリッドアクセスモードである場合、ユーザ端末はターゲットセルラへのハンドオーバを行うことを許可される。このハンドオーバ制御方法を実施すると、ターゲットセルラへのユーザ端末のハンドオーバを確実に行わせることができ、ユーザ端末がアクセスを許可され、したがって、ユーザ端末のサービスの連続性が確保される。本発明の実施形態によってハンドオーバ制御装置およびシステムも提供される。
2012525026.tif 000002
【特許請求の範囲】
【請求項１】
ハンドオーバ制御方法であって、
ターゲットエリアのアクセスモードおよびクローズド加入者グループ(CSG)識別子(ID)を取得するステップと、
前記ターゲットエリアの前記アクセスモードがハイブリッドアクセスモードである場合、または
前記ターゲットエリアの前記アクセスモードがクローズドアクセスモードである場合に、前記ターゲットエリアの前記CSG IDが前記UEの許容CSGリストに含まれているかどうかを判定し、前記ターゲットエリアの前記CSG IDが前記UEの前記許容CSGリストに含まれている場合、または
前記ターゲットエリアの前記CSG IDが前記UEの前記許容CSGリストに含まれていない場合に、前記ターゲットエリアの前記アクセスモードを判定し、前記ターゲットエリアの前記アクセスモードがハイブリッドアクセスモードである場合、または
前記UEの前記許容CSGリストが存在しない場合に、前記ターゲットエリアの前記アクセスモードを判定し、前記ターゲットエリアの前記アクセスモードが前記ハイブリッドアクセスモードである場合、
前記UEに前記ターゲットエリアへのハンドオーバを許可するステップとを含む方法。
【請求項２】
前記ターゲットエリアの前記アクセスモードおよびCSG IDを取得するエンティティはソースアクセスネットワーク要素(NE)であり、前記ソースアクセスNEによって前記ターゲットエリアの前記アクセスモードおよびCSG IDを取得するステップは、
前記UEによって報告され、前記ターゲットエリアの前記アクセスモードおよびCSG IDを伝達する測定レポートを前記ソースアクセスNEによって受信するステップを含む、請求項1に記載の方法。
【請求項３】
前記ターゲットエリアの前記アクセスモードおよびCSG IDを取得するエンティティはコア管理ネットワーク要素(NE)であり、前記コア管理NEによって前記ターゲットエリアの前記アクセスモードおよびCSG IDを取得するステップは、
ターゲットアクセスNEによって送信され、前記ターゲットエリアの前記アクセスモードおよびCSG IDを伝達するパス切り替え要求メッセージを前記コア管理NEによって受信するステップを含む、請求項1に記載の方法。
【請求項４】
前記ターゲットエリアの前記アクセスモードおよびCSG IDを取得するエンティティはソースコア管理ネットワーク要素(NE)であり、前記ソースコア管理NEによって前記ターゲットエリアの前記アクセスモードおよびCSG IDを取得するステップは、
ソースアクセスNEによって送信され、前記ターゲットエリアの前記アクセスモードおよびCSG IDを伝達するハンドオーバ必要メッセージを前記ソースコア管理NEによって受信するステップを含む、請求項1に記載の方法。
【請求項５】
前記ターゲットエリアの前記アクセスモードおよびCSG IDを取得するエンティティはターゲットコア管理ネットワーク要素(NE)であり、前記ターゲットコア管理NEによって前記ターゲットエリアの前記アクセスモードおよびCSG IDを取得するステップは、
ターゲットアクセスNEによって送信され、前記ターゲットエリアの前記アクセスモードおよびCSG IDを伝達するハンドオーバ要求肯定応答メッセージを前記ターゲットコア管理NEによって受信するステップ、または
ソースコア管理NEによって送信され、前記ターゲットエリアの前記アクセスモードおよびCSG IDを伝達するフォワードリロケーション要求メッセージを前記ターゲットコア管理NEによって受信するステップを含む請求項1に記載の方法。
【請求項６】
前記ターゲットエリアの前記アクセスモードおよびCSG IDを取得するエンティティはターゲットアクセスネットワーク要素(NE)であり、前記ターゲットアクセスNEによって前記ターゲットエリアの前記アクセスモードおよびCSG IDを取得するステップは、
ソースアクセスNEによって送信され、前記ターゲットエリアの前記アクセスモードおよびCSG IDを伝達するハンドオーバ要求メッセージを前記ターゲットアクセスNEによって受信するステップ、または
ターゲットコア管理NEによって送信され、前記ターゲットエリアの前記アクセスモードおよびCSG IDを伝達するハンドオーバ要求メッセージを前記ターゲットアクセスNEによって受信するステップを含む請求項1に記載の方法。
【請求項７】
前記ターゲットエリアの前記アクセスモードおよびCSG IDを取得するエンティティは前記UEであり、前記UEによって前記ターゲットエリアの前記アクセスモードおよびCSG IDを取得するステップは、
ソースアクセスNEによって送信され、前記ターゲットエリアの前記アクセスモードおよびCSG IDを伝達するハンドオーバコマンドメッセージを前記UEよって受信するステップを含む、請求項1に記載の方法。
【請求項８】
前記ターゲットエリアの前記アクセスモードがハイブリッドアクセスモードである場合に前記UEが前記ターゲットエリアへのハンドオーバを行うのを許可するステップの後に、前記UEのユーザが前記ターゲットエリアにおけるCSGメンバーであるかどうかを知るステップをさらに含む、請求項1に記載の方法。
【請求項９】
前記ターゲットエリアの前記CSG IDが前記UEの許容CSGリストに含まれている場合に、前記UEがCSGメンバーであることを知るステップ、あるいは
前記ターゲットエリアの前記CSG IDが前記UEの前記許容CSGリストに含まれていない場合、または前記UEの許容CSGリストが存在しない場合に、前記UEが非CSGメンバーであることを知るステップを含む、請求項1に記載の方法。
【請求項１０】
前記UEがCSGメンバーであるかどうかに関する情報をターゲットアクセスネットワーク要素(NE)に送信するステップをさらに含む、請求項8または9に記載の方法。
【請求項１１】
前記USが前記ターゲットエリアへのハンドオーバを行うのを許可するエンティティはソースアクセスNEであり、前記UEがCSGメンバーであるかどうかに関する前記情報を前記ソースアクセスNEによって前記ターゲットアクセスNEに送信するステップは、
前記UEがCSGメンバーであるかどうかに関する情報を伝達するハンドオーバ要求メッセージを前記ソースアクセスNEによって前記ターゲットアクセスNEに送信するステップ、または
前記ソースアクセスNEによってソースコア管理NEにハンドオーバ必要メッセージを送信し、前記ソースコア管理NEによってターゲットコア管理NEにフォワードリロケーション要求メッセージを送信し、前記ターゲットコア管理NEによって前記ターゲットアクセスNEにハンドオーバ要求メッセージを送信するステップを含み、前記ハンドオーバ必要メッセージ、前記フォワードリロケーション要求メッセージ、および前記ハンドオーバ要求メッセージはすべて、前記UEがCSGメンバーであるかどうかに関する前記情報を伝達する、請求項10に記載の方法。
【請求項１２】
前記USが前記ターゲットエリアへのハンドオーバを行うのを許可するエンティティはコア管理NEであり、前記UEがCSGメンバーであるかどうかに関する前記情報を前記コア管理NEによって前記ターゲットアクセスNEに送信するステップは、
前記UEがCSGメンバーであるかどうかに関する前記情報を伝達するパス切り替え要求肯定応答メッセージを前記コア管理NEによって前記ターゲットアクセスNEに送信するステップを含む、請求項10に記載の方法。
【請求項１３】
前記USが前記ターゲットエリアへのハンドオーバを行うのを許可するエンティティはソースコア管理NEであり、前記UEがCSGメンバーであるかどうかに関する前記情報を前記ソースコア管理NEによって前記ターゲットアクセスNEに送信するステップは、
前記ソースコア管理NEによってターゲットコア管理NEにフォワードリロケーション要求メッセージを送信し、前記ターゲットコア管理NEによってターゲットアクセスNEにハンドオーバ要求メッセージを送信するステップを含み、前記フォワードリロケーション要求メッセージおよび前記ハンドオーバ要求メッセージはすべて、前記UEがCSGメンバーであるかどうかに関する前記情報を伝達する、請求項10に記載の方法。
【請求項１４】
前記USが前記ターゲットエリアへのハンドオーバを行うのを許可するエンティティはターゲットコア管理NEであり、前記UEがCSGメンバーであるかどうかに関する前記情報を前記ターゲットコア管理NEによって前記ターゲットアクセスNEに送信するステップは、
前記UEがCSGメンバーであるかどうかに関する前記情報を伝達するハンドオーバ要求メッセージを前記ターゲットコア管理NEによって前記ターゲットアクセスNEに送信するステップを含む、請求項10に記載の方法。
【請求項１５】
前記USが前記ターゲットエリアへのハンドオーバを行うのを許可するエンティティは前記UEであり、前記UEがCSGメンバーであるかどうかに関する前記情報を前記UEによって前記ターゲットアクセスNEに送信するステップは、
前記UEがCSGメンバーであるかどうかに関する前記情報を伝達するハンドオーバ確認メッセージを前記UEによって前記ターゲットアクセスNEに送信するステップを含む、請求項10に記載の方法。
【請求項１６】
ハンドオーバ制御装置であって、
ターゲットエリアのアクセスモードおよびクローズド加入者グループ(CSG)の識別子(ID)を取得するように構成された取得ユニットと、
前記ターゲットエリアの前記アクセスモードがハイブリッドアクセスモードである場合、または
前記ターゲットエリアの前記アクセスモードがクローズドアクセスモードである場合に、前記ターゲットエリアの前記CSG IDが前記UEの許容CSGリストに含まれているかどうかを判定し、前記ターゲットエリアの前記CSG IDが前記UEの前記許容CSGリストに含まれている場合、または
前記ターゲットエリアの前記CSG IDが前記UEの前記許容CSGリストに含まれていない場合、前記ターゲットエリアの前記アクセスモードを判定し、前記ターゲットエリアの前記アクセスモードが前記ハイブリッドアクセスモードである場合、または
前記UEの前記許容CSGリストが存在しない場合に、前記ターゲットエリアの前記アクセスモードを判定し、前記ターゲットエリアの前記アクセスモードが前記ハイブリッドアクセスモードである場合、
前記UEに前記ターゲットエリアへのハンドオーバを許可するように構成されたハンドオーバ制御ユニットとを備える装置。
【請求項１７】
前記ハンドオーバ制御ユニットは、アクセス許可モジュールとアクセス拒絶モジュールとをさらに備える、請求項16に記載の装置。
【請求項１８】
ハンドオーバ制御システムであって、
情報記憶ユニットと、
ターゲットエリアのアクセスモードおよびクローズド加入者グループ(CSG)識別子(ID)を前記情報記憶ユニットから取得するように構成された取得ユニット、およびハンドオーバ制御ユニットを備え、
前記ターゲットエリアの前記アクセスモードがハイブリッドアクセスモードである場合、または
前記ターゲットエリアの前記アクセスモードがクローズドアクセスモードである場合に、前記ターゲットエリアの前記CSG IDが前記UEの許容CSGリストに含まれているかどうかを判定し、前記ターゲットエリアの前記CSG IDが前記UEの前記許容CSGリストに含まれている場合、または
前記ターゲットエリアの前記CSG IDが前記UEの前記許容CSGリストに含まれていない場合に、前記ターゲットエリアの前記アクセスモードを判定し、前記ターゲットエリアの前記アクセスモードが前記ハイブリッドアクセスモードである場合、または
前記UEの前記許容CSGリストが存在しない場合に、前記ターゲットエリアの前記アクセスモードを判定し、前記ターゲットエリアの前記アクセスモードが前記ハイブリッドアクセスモードである場合、前記ハンドオーバ制御ユニットが、前記UEに前記ターゲットエリアへのハンドオーバを許可するハンドオーバ制御装置とを備えるシステム。
【請求項１９】
前記ハンドオーバ制御装置は、ソースアクセスネットワーク要素(NE)、ターゲットアクセスNE、コア管理NE、ソースコア管理NE、またはターゲットコア管理NEに内蔵される、請求項18に記載のシステム。
【発明の詳細な説明】
【技術分野】
【０００１】
本出願は、2009年4月22日に中国特許庁に出願され、「HANDOVER CONTROL METHOD, APPARATUS AND SYSTEM」という名称を有し、引用によって全体的に本明細書に組み込まれる中国特許出願第200910106765.2号、および2009年5月12日に中国特許庁に出願され、「HANDOVER CONTROL METHOD, APPARATUS AND SYSTEM」という名称を有し、引用によって全体的に本明細書に組み込まれる中国特許出願第200910141041.1号に対する優先権を主張する。
【０００２】
本出願は、通信ネットワーク技術に関し、特に、ハンドオーバ制御方法、装置、およびシステムに関する。
【背景技術】
【０００３】
ネットワーク技術が急速に発達しているため、インタネットアクセス技術が絶え間なく向上している。第3世代パートナーシッププロジェクト(3GPP)および非3GPP標準機構によって開発されている新しいアクセスモードとしてホームアクセスモードがある。
【０００４】
ホームアクセスモードは、家庭無線アクセスポイント(WAP)および許容スペクトルを使用して汎用インタネットプロトコル(IP)アクセスネットワークを通じてユーザ端末(UE)を移動網に接続する。許容スペクトルには、様々なネットワークにおけるスペクトル、たとえば、UMTS地上波無線アクセスネットワーク(UMTS地上波無線アクセスネットワーク、UTRAN)、発展型(Evolved)UMTS地上波無線アクセスネットワーク(E-UTRAN)、符号分割多元接続(CDMA)ネットワーク、Worldwide Interoperability for Microwave Access (WiMAX)ネットワーク、無線ローカルエリアネットワーク(WLAN)、および高速パケットデータ(HRPD)ネットワークが含まれる。家庭用WAPはフェムトセルとも呼ばれている。
【０００５】
UEによる特定の家庭用WAPへのアクセスを制限するために、クローズド加入者グループ(Closed Subscriber Group、CSG)機構が導入されている。CSGではいくつかのUE(あるいは加入者、ユーザまたは加入者)を識別する。このようなUEは、事業者の1つまたは複数のセルにアクセスすることが許可されるが、他のUEによるこれらのセルへのアクセスは制限される。1つのCSGエリアは、1つまたは複数のセルを含み、CSG識別子(ID)によって識別される。1つのCSGエリアには1つのUE群しかアクセスできず、他のUEによるアクセスは制限される。CSGホワイトリストとも呼ばれる許容CSGリストは、UEがアクセスを許可されるすべてのCSGエリアのCSG IDのリストである。UEがソースアクセスネットワーク要素(NE)からターゲットエリアへのハンドオーバを行うとき、UEは、ターゲットエリアのCSG IDがUEの許容CSGリストに含まれているかどうかを判定することによってハンドオーバを行うべきかどうかを判定する。ターゲットエリアのCSG IDがUEの許容CSGリストに含まれている場合、UEがこのターゲットエリアへのハンドオーバを行うことが許可され、ターゲットエリアのCSG IDがUEの許容CSGリストに含まれていない場合、UEがこのターゲットエリアへのハンドオーバを行うことは許可されない。
【０００６】
明らかに、現在のCSG機構の下でのハンドオーバプロセスでは、ソースアクセスネットワークは、信号が弱いときにターゲットエリアへのハンドオーバを開始することを決定し、ターゲットエリアのCSG IDがUEの許容CSGリストに含まれていないと判定したときにはUEがターゲットエリアへのハンドオーバを行うことは拒絶される。しかし、ターゲットエリアのアクセスモードがハイブリッドアクセスモードである場合、UEがターゲットエリアへのハンドオーバを行うことは許可される。この場合、UEの進行中のサービスは終了し、このサービスについてのユーザの体験に影響が及ぶ。
【発明の概要】
【発明が解決しようとする課題】
【０００７】
本発明の各実施形態は、現在のCSG機構の下でのハンドオーバ決定プロセスがユーザの体験に影響する問題を解消するために、ハンドオーバ制御方法を提供し、ハンドオーバ制御装置およびシステムをさらに提供する。
【課題を解決するための手段】
【０００８】
本発明は、上記の目的を実現するために、以下の技術的解決手段を提供する。
【０００９】
ハンドオーバ制御方法は、
ターゲットエリアのアクセスモードおよびCSG IDを取得するステップと、
ターゲットエリアのアクセスモードがハイブリッドアクセスモードである場合に、UEにターゲットエリアへのハンドオーバを許可し、あるいは
ターゲットエリアのアクセスモードがクローズドアクセスモードである場合に、ターゲットエリアのCSG IDがUEの許容CSG IDリストに含まれているかどうかを判定し、ターゲットエリアのCSG IDがUEの許容CSG IDリストに含まれている場合、UEにターゲットエリアへのハンドオーバを許可し、あるいは
ターゲットエリアのCSG IDがUEの許容CSGリストに含まれていない場合に、ターゲットエリアのアクセスモードを判定し、ターゲットエリアのアクセスモードがハイブリッドアクセスモードである場合、UEにターゲットエリアへのハンドオーバを許可し、あるいは
UEのCSGリストが存在しない場合に、ターゲットエリアのアクセスモードを判定し、ターゲットエリアのアクセスモードがハイブリッドアクセスモードである場合、UEにターゲットエリアへのハンドオーバを許可するステップとを含む。
【００１０】
ハンドオーバ制御装置は、ターゲットエリアのアクセスモードおよびCSG IDを取得するように構成された取得ユニットと、ハンドオーバユニットとを含む。ターゲットエリアのアクセスモードがハイブリッドアクセスモードである場合、またはターゲットエリアのアクセスモードがクローズドアクセスモードである場合に、ターゲットエリアのCSG IDがUEの許容CSGリストに存在するかどうかを判定し、ターゲットエリアのCSG IDがUEの許容CSGリストに含まれている場合、またはターゲットエリアのCSG IDがUEの許容CSGリストに含まれていない場合に、ターゲットエリアのアクセスモードを判定し、ターゲットエリアのアクセスモードがハイブリッドアクセスモードである場合、またはUEの許容CSGリストが存在しない場合に、ターゲットエリアのアクセスモードを判定し、ハンドオーバ制御ユニットは、UEにターゲットエリアへのハンドオーバを許可する。
【００１１】
ハンドオーバ制御システムは、情報記憶ユニットとハンドオーバ制御装置とを含む。ハンドオーバ制御装置は、ターゲットエリアのアクセスモードおよびCSG IDを情報記憶ユニットから取得するように構成された取得ユニットと、ハンドオーバ制御ユニットとを含む。ターゲットエリアのアクセスモードがハイブリッドアクセスモードである場合、またはターゲットエリアのアクセスモードがクローズドアクセスモードである場合に、ターゲットエリアのCSG IDがUEの許容CSGリストに含まれているどうかを判定し、ターゲットエリアのCSG IDがUEの許容CSGリストに含まれている場合、またはターゲットエリアのCSG IDがUEの許容CSGリストに含まれていない場合に、ターゲットエリアのアクセスモードを判定し、ターゲットエリアのアクセスモードがハイブリッドアクセスモードである場合、またはUEの許容CSGリストが存在しない場合に、ターゲットエリアのアクセスモードを判定し、ターゲットエリアのアクセスモードがハイブリッドアクセスモードである場合、ハンドオーバ制御ユニットは、UEにターゲットエリアへのハンドオーバを許可する。
【００１２】
本発明の各実施形態で提供されるハンドオーバ制御方法、装置、およびシステムは、ターゲットエリアのアクセスモードをハンドオーバ制御において考慮すべき因子として使用し、CSG機構の下でターゲットエリアのアクセスモードに従ってハンドオーバを実行する処理機構を実現し、UEがアクセスを許可されているターゲットエリアへのハンドオーバをUEに確実に行わせ、したがって、UEのサービスの連続性を確保し、ユーザの体験を向上させる。
【図面の簡単な説明】
【００１３】
【図１】本発明の第1の実施形態によるハンドオーバ制御方法のフローチャートである。
【図２】本発明の第2の実施形態による方法1のハンドオーバ制御方法のシグナリングフローチャートである。
【図３】本発明の実施形態によるホームアクセスシステムのアーキテクチャを示す図である。
【図４】本発明の第2の実施形態による方法2のハンドオーバ制御方法のシグナリングフローチャートである。
【図５】本発明の第3の実施形態によるハンドオーバ制御方法のシグナリングフローチャートである。
【図６】本発明の第4の実施形態によるハンドオーバ制御方法のシグナリングフローチャートである。
【図７】本発明の第5の実施形態によるハンドオーバ制御方法のシグナリングフローチャートである。
【図８】本発明の第6の実施形態による方法1のハンドオーバ制御方法のシグナリングフローチャートである。
【図９】本発明の第6の実施形態による方法2のハンドオーバ制御方法のシグナリングフローチャートである。
【図１０】本発明の第7の実施形態によるハンドオーバ制御方法のシグナリングフローチャートである。
【図１１】本発明の一実施形態によるハンドオーバ制御装置の構造を示す図である。
【図１２】本発明の一実施形態によるハンドオーバ制御システムの構造を示す図である。
【図１３】本発明の一実施形態によるハンドオーバ制御システムのネットワーク構造を示す図である。
【図１４】本発明の一実施形態によるハンドオーバ制御システムの他のネットワーク構造を示す図である。
【図１５】本発明の第8の実施形態によるハンドオーバ制御方法のフローチャートである。
【図１６】本発明の第9の実施形態によるハンドオーバ制御方法のシグナリングフローチャートである。
【図１７】本発明の一実施形態によるハンドオーバ制御装置の構造を示す図である。
【図１８】本発明の一実施形態によるハンドオーバ制御システムのネットワーク構造を示す図である。
【発明を実施するための形態】
【００１４】
本発明をよりよく理解するのを助けるために、以下に、各実施形態および添付の図面を参照して本発明を詳しく説明する。本明細書に記載されている実施形態が、本発明の目的を説明するためのみのものであり、本発明を限定するものではないことが理解できよう。
【００１５】
図1に示されているように、第1の実施形態で提供されるハンドオーバ制御法は以下のステップを含む。
【００１６】
ステップ101:ターゲットエリアのアクセスモードおよびCSG ID、ならびにUEの許容CSGリストを取得する。
【００１７】
ステップ102:ターゲットエリアのアクセスモードがハイブリッドアクセスモードである場合、またはターゲットエリアのアクセスモードがクローズドアクセスモードである場合に、ターゲットエリアのCSG IDがUEの許容CSGリストに含まれているかどうかを判定し、ターゲットエリアのCSG IDがUEの許容CSGリストに含まれている場合、またはターゲットエリアのCSG IDがUEの許容CSGリストに含まれていない場合に、ターゲットエリアのアクセスモードを判定し、ターゲットエリアのアクセスモードがハイブリッドアクセスモードである場合、UEにターゲットエリアへのハンドオーバを許可する。
【００１８】
注:ステップ101でUEの許容CSGリスト(本発明ではCSG加入情報とも呼ばれる)を取得することができないとき、ステップ102では、ターゲットエリアのアクセスモードをさらに判定し、ターゲットエリアのアクセスモードがハイブリッドアクセスモードである場合にはUEにターゲットエリアへのハンドオーバを許可する。
【００１９】
本発明では、ターゲットエリアのCSG IDがUEの許容CSGリストに含まれているかどうかを判定することは、ターゲットエリアのCSG IDがUEの許容CSGリストに含まれているかどうかを知ることである。
【００２０】
本発明の第1の実施形態で提供されるハンドオーバ制御方法は、ターゲットエリアのアクセスモードをハンドオーバ制御において考慮すべき因子として使用し、CSG機構の下でターゲットエリアのアクセスモードに従ってハンドオーバを実行する処理機構を実現し、UEがアクセスを許可されているターゲットエリアへのハンドオーバをUEに確実に行わせ、したがって、UEのサービスの連続性を確保し、ユーザの体験を向上させる。
【００２１】
この実施形態で説明するターゲットエリアは、ターゲットアクセスNE、ターゲットセル、またはターゲット追跡エリアのようなエリアを含む。アクセスNEは、家庭用WAP、たとえば、家庭用NodeB(HNB)、家庭用発展型NodeB(HeNB)、家庭用非3GPP WAP、CSG機能を有するWAP、HNBゲートウェイ(GW)、HeNB GWまたは家庭用非3GPP WAP GWであってよい。
【００２２】
この実施形態のハンドオーバは、ソースエリアからターゲットエリアへのUEのハンドオーバである。ハンドオーバは、同じロケーションエリア内または異なるロケーションエリア同士間で実行することができ、UEがロケーション更新手順を開始するときに新しいセルにアクセスする状況をさらに含んでよい。
【００２３】
以下に、本発明の第2の実施形態で提供されるハンドオーバ制御方法について説明する。第2の実施形態のハンドオーバ制御方法では、ソースアクセスNEがハンドオーバ時にハンドオーバ制御を実施する。様々なネットワークトポロジーおよびハンドオーバ手順に応じて、第2の実施形態は2つの方法を含む。
【００２４】
方法1:この方法は、X2方式のハンドオーバに対処するものであり、ここでX2はX2インタフェースを表している。ソースアクセスNEとターゲットアクセスNEは互いにメッセージを送信することができ、コア管理NEは変更されず、すなわち、ソースコア管理NEとターゲットコア管理NEは同じコア管理NEである。図2に示されているように、この方法のフローチャートは以下のステップを含む。
【００２５】
ステップ201:ソースアクセスNEが、ターゲットエリアのアクセスモードおよびCSG ID、ならびにUEの許容CSGリスト情報を取得する。
【００２６】
第2の実施形態の技術的解決策をよりうまく説明するために、図3は、1つのホームアクセスシステムアーキテクチャを示している。このアーキテクチャでは、HNBはUTRANスペクトル上で動作する家庭用WAPであり、HeNBはE-UTRANスペクトル上で動作する家庭用WAPであり、家庭用非3GPP WAPは、非3GPPネットワーク(CDMA/WiMAX/WLAN/HRPDネットワークなど)のスペクトル上で動作する家庭用WAPである。
【００２７】
HNB GW、HeNB GW、および家庭用非3GPP WAP GWは、それぞれ汎用IPアクセスネットワークを通じてHNB、HeNB、および家庭用非3GPP WAPに接続された家庭用WAP GWである。
【００２８】
家庭用WAP GWは、家庭用WAPの管理および収束を実施し、家庭用WAP内のNEと移動網との間でシグナリングデータをルーティングおよび転送するような機能を有する。
【００２９】
移動網内のNEには、E-UTRANにおけるモビリティ管理エンティティ(MME)、GPRS/UMTSにおけるサービングGPRSサポートノード(Serving GPRS Support Node)(SGSN)、およびモバイルアクセスゲートウェイ(MAG)とも呼ばれる、非3GPPネットワークにおける非3GPP GWが含まれる。非3GPP GWは、様々な非3GPPネットワークにおいてそれぞれ異なる。たとえば、WLANにおける発展型パケットデータゲートウェイ(EPDG)、WiMAXネットワークにおけるアクセスサービスネットワークゲートウェイ(ASN GW)、CDMAネットワークにおけるアクセスゲートウェイ(AGW)、およびHRPDネットワークにおけるHRPDサービングゲートウェイ(HRPD Serving Gateway)(HSGW)であってよい。
【００３０】
ホーム加入者サーバ(HSS)は、UEの加入情報を記憶するように構成される。認証、許可、アカウンティングサーバ(AAAサーバ)は、UEを認証し、許可し、UEに課金するように構成される。
【００３１】
ホーム管理サーバ(HMS)は、UEのCSG管理を行う。HMSは、独立NEであってよく、あるいはHSSのような他のNEに組み込まれる。HMSは、ホームアクセスポイントのGWに接続されても、あるいは制限されない家庭用WAPに直接接続されてもよい。図3は、HMSとホームアクセスポイントのGWとの間の接続を示している。
【００３２】
さらに、上記では1つのホームアクセスアーキテクチャのみについて説明している。たとえば、他のホームアクセスシステムアーキテクチャでは、ホームアクセスポイントは移動網内のNEに直接接続されてよい。
【００３３】
この実施形態では、コア管理NEは、SGSNであっても、MMEであっても、非3GPP GWであってもよい。
【００３４】
ソースアクセスNEは、UEの許容CSGリスト情報を以下の方法のうちの1つで取得することができる。
【００３５】
(1)UEがコア管理NEにアクセスする際、コア管理NEは、UEの許容CSGリスト情報をソースアクセスNEに通知する。たとえば、このアクセス手順において、E-UTRANでは、MMEが、初期コンテキストセットアップ要求メッセージを通じてUEの許容CSGリスト情報をソースアクセスNEに通知する。UTRANでは、SGSNが、情報転送指示メッセージを通じてUEの許容CSGリスト情報をソースアクセスNEに通知する。
【００３６】
注:ソースアクセスNEによってUEの許容CSGリスト情報を取得することは任意である。UEが、登録された許容CSGリスト情報を有さない場合、コア管理NEは、UEの許容CSGリスト情報をソースアクセスNEに通知せず、したがって、ソースアクセスNEはUEの許容CSGリスト情報を取得することができない。
【００３７】
(2)UEの許容CSGリスト情報は、HMSまたは事業者のバックエンドシステム、たとえば、事業者のオペレーションサポートシステム(OSS)またはビジネスオペレーションサポートシステム(BOSS)において構成され、HMSまたは事業者のバックエンドシステムによってアクセスNEに送信される。たとえば、アクセスNEに電力が投入され、作業が開始した後、アクセスNEは、HMSまたは事業者のバックエンドシステムにレジスタ要求メッセージを送信し、HMSまたは事業者のバックエンドシステムは、UEの許容CSGリスト情報を伝達するレジスタ応答メッセージをアクセスNEに送信する。
【００３８】
注:ソースアクセスNEによってUEの許容CSGリスト情報を取得するプロセスは任意である。UEが、登録された許容CSGリスト情報を有さない場合、HMSまたは事業者のバックエンドシステムは、UEの許容CSGリスト情報をソースアクセスNEに通知せず、したがって、ソースアクセスNEはUEの許容CSGリスト情報を取得することができない。
【００３９】
ソースアクセスNEは、以下の方法のうちの少なくとも1つでターゲットエリアのアクセスモードおよびCSG ID情報を取得することができる。
【００４０】
(1)UEは、ターゲットエリアのアクセスモードおよびCSG ID情報を管理レポートを通じてソースアクセスNEに通知する。
【００４１】
(2)ソースアクセスNEは、ターゲットエリアとアクセスモードとの間およびターゲットエリアとCSG IDとの間のマップによって構成される。ソースアクセスNEは、このマップに従ってターゲットエリアのアクセスモードおよびCSG ID情報を取得する。
【００４２】
(3)ソースアクセスNEは、セルIDとアクセスモードとの間およびセルIDとCSG IDとの間のマップによって構成される。UEは、管理レポートを通じてセル情報を報告し、ソースアクセスNEは、セル情報に応じてターゲットエリアのアクセスモードおよびCSG ID情報を取得する。
【００４３】
(4)HMSまたは事業者のバックエンドシステム、たとえば、事業者のOSSまたはBOSSは、ターゲットエリアとアクセスモードとの間およびターゲットエリアとCSG IDとの間のマップによって構成される。ソースアクセスNEは、HMSまたは事業者のバックエンドシステムにターゲットエリアのアクセスモードおよびCSG IDについて問い合わせる。たとえば、アクセスNEは、HMSまたは事業者のバックエンドシステムにレジスタ要求メッセージを送信し、HMSまたは事業者のバックエンドシステムは、ターゲットエリアのアクセスモードおよびCSG ID情報を伝達するレジスタ応答メッセージをアクセスNEに送信する。
【００４４】
ステップ202:ソースアクセスNEは、アクセスおよびハンドオーバを実行するかどうかを判定する。
【００４５】
ソースアクセスNEは、ターゲットエリアのアクセスモードおよびCSG ID、ならびにUEの許容CSGリスト情報を取得した後、アクセスモードに応じてターゲットエリアへのハンドオーバを行うかどうかおよび/またはターゲットエリアのCSG IDがUEの許容CSGリストに含まれているかどうかを判定する。ソースアクセスNEは、ハンドオーバを開始するかどうかを以下のように判定することができる。
【００４６】
ソースアクセスNEはまず、ターゲットエリアのアクセスモードを判定する。具体的な判定ステップは以下のとおりである。
【００４７】
(1)ターゲットエリアのアクセスモードがハイブリッドアクセスモードである場合、ソースアクセスNEはこのターゲットエリアを選択し、このターゲットエリアのCSG IDがUEの許容CSGリストに含まれているかどうかにかかわらずハンドオーバ手順を開始する。任意に、ソースアクセスNEは、ターゲットエリアのCSG IDがUEの許容CSGリストに含まれているかどうかをさらに判定し、ターゲットエリアのCSG IDがUEの許容CSGリストに含まれている場合、UEはこのターゲットエリアにおけるCSGメンバーであり、ターゲットエリアのCSG IDがUEの許容CSGリストに含まれていない場合、UEはターゲットエリアの非CSGメンバーであり、したがって、その後UEがCSGメンバーであるかどうかに関する情報をターゲットアクセスNEに送信することができる。あるいは、
【００４８】
(2)ターゲットエリアのアクセスモードがクローズドアクセスモードである場合、ソースアクセスNEは、ターゲットエリアのCSG IDがUEの許容CSGリストに含まれているかどうかをさらに判定する。ターゲットエリアのCSG IDがUEの許容CSGリストに含まれている場合、ソースアクセスNEはこのターゲットエリアを選択してハンドオーバ手順を開始し、ターゲットエリアのCSG IDがUEの許容CSGリストに含まれていない場合、ソースアクセスNEがこのターゲットエリアを選択してハンドオーバ手順を開始することはできない。
【００４９】
他の方法は以下のとおりである。ソースアクセスNEはまず、ターゲットエリアのCSG IDがUEの許容CSGリストに含まれているかどうかを判定する。具体的な判定ステップは以下のとおりである。
【００５０】
(1)ターゲットエリアのCSG IDがUEの許容CSGリストに含まれている場合、UEはこのターゲットエリアにおけるCSGメンバーであり、ソースアクセスNEはこのターゲットエリアを選択してハンドオーバ手順を開始する。
【００５１】
(2)ターゲットエリアのCSG IDがUEの許容CSGリストに含まれていない場合、すなわち、UEがターゲットエリアにおける非CSGメンバーである場合、ソースアクセスNEは、ターゲットエリアのアクセスモードがどちらのアクセスモードであるかを判定する。ターゲットエリアのアクセスモードがハイブリッドアクセスモードである場合、ソースアクセスNEはこのターゲットエリアを選択してハンドオーバ手順を開始し、ターゲットエリアのアクセスモードがクローズドアクセスモードである場合、ソースアクセスNEはこのターゲットエリアを選択してハンドオーバ手順を開始することはできない。
【００５２】
注:ソースアクセスNEがターゲットエリアのアクセスモードおよびCSG IDを取得したが、UEの許容CSGリストを取得しておらず、たとえば、UEが、登録された許容CSGリスト情報を有さない場合、ソースアクセスNEは、ターゲットエリアのアクセスモードに応じて、ターゲットエリアへのハンドオーバを行うかどうかを判定することができる。ソースアクセスNEは、ハンドオーバを開始するかどうかを以下のように判定することができる。
【００５３】
ソースアクセスNEはまず、ターゲットエリアのアクセスモードを判定する。具体的な判定ステップは以下のとおりである。
【００５４】
(1)ターゲットエリアのアクセスモードがハイブリッドアクセスモードである場合、ソースアクセスNEはこのターゲットエリアを選択してハンドオーバ手順を開始することができ、任意に、UEの許容CSGリストが取得されないため、ソースアクセスNEは、UEがターゲットエリアの非CSGメンバーであるとさらに判定することができ、したがって、その後、UEが非CSGメンバーであることを示す情報をターゲットアクセスNEに送信することができる。あるいは、
【００５５】
(2)ターゲットエリアのアクセスモードがクローズドアクセスモードである場合、ソースアクセスNEがこのターゲットエリアを選択してハンドオーバ手順を開始することはできない。
【００５６】
他の方法は以下のとおりである。ソースアクセスNEはまず、UEの許容CSGリストが取得されなかったこと、すなわち、UEがターゲットエリアの非CSGメンバーであることを知り、次に、ソースアクセスNEは、ターゲットエリアのアクセスモードがどちらのアクセスモードであるかを判定する。ターゲットエリアのアクセスモードがハイブリッドアクセスモードである場合、ソースアクセスNEはこのターゲットエリアを選択してハンドオーバ手順を開始し、ターゲットエリアのアクセスモードがクローズドアクセスモードである場合、ソースアクセスNEはこのターゲットエリアを選択してハンドオーバ手順を開始することはできない。
【００５７】
ステップ203:ソースアクセスNEは、ハンドオーバ手順を開始することを決定した後にハンドオーバ要求メッセージをターゲットアクセスNEに送信する。
【００５８】
また、このメッセージは、UEがこのターゲットエリアにおけるCSGメンバーであるかどうかに関する情報を伝達することができ、それによって、ターゲットアクセスNEはこのCSGメンバーに対する特別な処理を実行することができ、この場合、特別な処理は、非CSGメンバーに対する処理とは異なり、たとえば、微分サービス品質(QoS)制御であり、CSGメンバーが非CSGメンバーよりも高い優先順位でネットワーク資源を使用するのを可能にすることができる。この情報の提示形態には以下のうちの少なくとも1つを含めてよい。
【００５９】
(1)UEがCSGメンバーであるかどうかを示す情報を伝達することができる。たとえば、UEがCSGメンバーであると判定されると、UEがCSGメンバーであることを示すCSGメンバー情報が伝達され、UEが非CSGメンバーであると判定されたときは、UEが非CSGメンバーであることを示す情報は伝達されない。あるいは、UEが非CSGメンバーであると判定されると、UEが非CSGメンバーであることを示す非CSGメンバー情報が伝達され、UEがCSGメンバーであると判定されたときは、UEがCSGメンバーであることを示す情報は伝達されない。
【００６０】
(2)タイプ値は、UEがCSGメンバーであるかどうかを示すように設定することができる。たとえば、UEがCSGメンバーであると判定されると、「CSGメンバータイプ」値が、UEがCSGメンバーであることを示す「YES」に設定され、UEが非CSGメンバーであると判定されると、「CSGメンバータイプ」値が、UEが非CSGメンバーであることを示す「NO」に設定される。
【００６１】
ステップ204:ターゲットアクセスNEはハンドオーバ要求肯定応答メッセージをソースアクセスNEに返す。
【００６２】
このメッセージは、ターゲットエリアのアクセスモードおよびCSG ID情報を伝達することができる。
【００６３】
ステップ205:ソースアクセスNEは、ハンドオーバコマンドメッセージをUEに送信し、UEにターゲットエリアにハンドオーバするよう通知する。
【００６４】
このステップでは、任意に、UEがステップ203でCSGメンバーであるかどうかについてターゲットアクセスNEに通知することをステップ205および206で以下のように実施してよい。UEは、ターゲットエリアのCSG IDがUEの許容CSGリストに含まれているかどうかを判定することができ、ターゲットエリアのCSG IDがUEの許容CSGリストに含まれている場合、UEはこのターゲットエリアにおけるCSGメンバーであり、ターゲットエリアのCSG IDがUEの許容CSGリストに含まれていない場合、UEはターゲットエリアの非CSGメンバーである。UEは、ターゲットエリアのアクセスモードおよびCSG ID情報を以下の方法のうちの少なくとも1つで取得することができる。
【００６５】
(1)ソースアクセスNEは、ハンドオーバコマンドメッセージでターゲットエリアのアクセスモードおよびCSG ID情報を伝達することができる。
【００６６】
(2)ターゲットエリアのアクセスモードおよびCSG ID情報はセルブロードキャストによって取得することができる。
【００６７】
注:任意に、UEは、登録された許容CSGリスト情報を有する場合、ターゲットエリアの非CSGメンバーであると判定される。
【００６８】
ステップ206:UEは、ターゲットエリアへのハンドオーバを行い、ハンドオーバ確認メッセージをターゲットアクセスNEに送信する。
【００６９】
また、このメッセージは、UEがこのターゲットエリアにおけるCSGメンバーであるかどうかに関する情報を伝達することができ、それによって、その後、ターゲットアクセスNEはCSGメンバーに対して特別な処理、たとえば微分QoS制御を実行することができる。
【００７０】
ステップ207:ターゲットアクセスNEは、コア管理NEにパス切り替え要求メッセージを送信する。
【００７１】
AGWが存在する場合、このメッセージはターゲットAGWを通してコア管理NEに送信される。
【００７２】
ステップ208:コア管理NEは、ターゲットアクセスNEにパス切り替え要求肯定応答メッセージを返す。
【００７３】
AGWが存在する場合、このメッセージはターゲットAGWを通してターゲットアクセスNEに送信される。
【００７４】
ステップ209:ターゲットAGWは、ソースアクセスNEに資源解放メッセージを送信する。
【００７５】
これで、ソースアクセスNEが、ハンドオーバを開始するかどうかを判定し、UEにターゲットエリアへのハンドオーバを実行させるプロセスが終了する。
【００７６】
方法2:この方法は、S1方式のハンドオーバに対処する方法であり、ここで、S1はS1インタフェースを表す。ソースアクセスNEとターゲットアクセスNEは互いにメッセージを送信することができず、コア管理NEを通じてメッセージを送信する必要がある。図4に示されているように、この方法のフローチャートは以下のステップを含む。
【００７７】
ステップ401:ソースアクセスNEが、ターゲットエリアのアクセスモードおよびCSG ID、ならびにUEの許容CSGリスト情報を取得する。
【００７８】
ソースアクセスNEがターゲットエリアのアクセスモードおよびCSG ID、ならびにUEの許容CSGリスト情報を取得するプロセスは、第2の実施形態の方法1のステップ201に類似しており、ここでは説明しない。
【００７９】
注:ソースアクセスNEによってUEの許容CSGリスト情報を取得するプロセスは任意である。UEが、登録された許容CSGリスト情報を有さない場合、ソースアクセスNEがUEの許容CSGリスト情報を取得することはできない。
【００８０】
ステップ402:ソースアクセスNEはハンドオーバの決定を下す。
【００８１】
ソースアクセスNEがハンドオーバの決定を下すプロセスは、第2の実施形態の方法1のステップ202に類似しており、ここでは説明しない。
【００８２】
注:ソースアクセスNEがターゲットエリアのアクセスモードおよびCSG IDを取得したが、UEの許容CSGリストを取得しておらず、たとえば、UEが、登録された許容CSGリスト情報を有さない場合、ソースアクセスNEがハンドオーバの決定を下し、UEがCSGメンバーであるかどうかを判定するステップは、第2の実施形態の方法1のステップ202に類似しており、ここでは説明しない。
【００８３】
ステップ403:ソースアクセスNEは、ハンドオーバ手順を開始することを決定した後にソースコア管理NEにハンドオーバ必要メッセージを送信する。
【００８４】
このメッセージは、UEがこのターゲットエリアにおけるCSGメンバーであるかどうかに関する情報を伝達することができる。この情報がどのように提示されるかについては、第2の実施形態の方法1のステップ203の説明を参照されたい。
【００８５】
ステップ404:ソースコア管理NEは、ターゲットコア管理NEにフォワードリロケーション要求メッセージを送信する。
【００８６】
このメッセージは、UEがこのターゲットエリアにおけるCSGメンバーであるかどうかに関する情報を伝達することができる。
【００８７】
ステップ405:ターゲットコア管理NEは、ターゲットアクセスNEにハンドオーバ要求メッセージを送信する。
【００８８】
このメッセージは、UEがこのターゲットエリアにおけるCSGメンバーであるかどうかに関する情報を伝達し、それによって、その後、ターゲットアクセスNEはCSGメンバーに対して特別な処理、たとえば微分QoS制御を実行することができる。
【００８９】
ターゲットアクセスNEは(HNB、HeNB、または家庭用非3GPP WAPのような)家庭用WAPあるいはCSG機能を有するWAPであってよい。
【００９０】
ステップ406:ターゲットアクセスNEは、ターゲットコア管理NEにハンドオーバ要求肯定応答メッセージを返す。
【００９１】
このメッセージは、ターゲットエリアのアクセスモードおよびCSG ID情報を伝達することができる。
【００９２】
AGWが存在する場合、ターゲットアクセスNEはターゲットAGWを通じてターゲットコア管理NEとやり取りする。
【００９３】
ステップ407:ターゲットコア管理NEは、ソースコア管理NEにフォワードリロケーション応答メッセージを返す。
【００９４】
このメッセージは、ターゲットエリアのアクセスモードおよびCSG ID情報を伝達することができる。
【００９５】
ステップ408:ソースコア管理NEは、ソースアクセスNEにハンドオーバコマンドメッセージを送信する。
【００９６】
このメッセージは、ターゲットエリアのアクセスモードおよびCSG ID情報を伝達することができる。
【００９７】
ステップ409:ソースアクセスNEは、UEにハンドオーバコマンドメッセージを送信し、UEにターゲットエリアへのハンドオーバを行うよう通知する。
【００９８】
任意に、UEがCSGメンバーであるかどうかについてステップ405でターゲットアクセスNEに通知することは、以下の方法に従ってステップ409および410で実施することができる。UEは、ターゲットエリアのCSG IDがUEの許容CSGリストに含まれているかどうかを判定することができ、ターゲットエリアのCSG IDがUEの許容CSGリストに含まれている場合、UEはこのターゲットエリアにおけるCSGメンバーであり、ターゲットエリアのCSG IDがUEの許容CSGリストに含まれていない場合、UEはターゲットエリアの非CSGメンバーである。UEは、第2の実施形態の方法1のステップ205に関連してターゲットエリアのアクセスモードおよびCSG ID情報を取得することができる。
【００９９】
注:任意に、UEは、登録された許容CSGリスト情報を有さない場合、ターゲットエリアの非CSGメンバーであると判定される。
【０１００】
ステップ410:UEは、ターゲットエリアへのハンドオーバを行い、ターゲットアクセスNEにハンドオーバ確認メッセージを送信する。
【０１０１】
また、このメッセージは、UEがこのターゲットエリアにおけるCSGメンバーであるかどうかに関する情報を伝達することができ、それによって、その後、ターゲットアクセスNEはCSGメンバーに対して特別な処理、たとえば微分QoS制御を実行することができる。
【０１０２】
ステップ411:ターゲットアクセスNEは、ターゲットコア管理NEにハンドオーバ通知メッセージを送信し、UEがターゲットエリアへのハンドオーバを行ったことをターゲットコア管理NEに通知する。
【０１０３】
ステップ412:ソースコア管理NEは、ソースアクセスNEとやり取りしてUEコンテキストを解放する。
【０１０４】
本発明の第2の実施形態では、ソースアクセスNEは、アクセスモードに応じてターゲットエリアへのハンドオーバを行うかどうかおよび/またはターゲットエリアのCSG IDがUEの許容CSGリストに含まれているかどうかを判定し、UEがアクセスを許可されているこのターゲットエリアへのハンドオーバを確実に行わせる。特に、ターゲットエリアのアクセスモードがハイブリッドアクセスモードであるとき、ターゲットエリアのCSG IDがUEの許容CSGリストに含まれていない場合でもUEはターゲットエリアへのハンドオーバを確実に行い、したがって、UEのサービスの連続性が確保され、ユーザの体験が向上する。
【０１０５】
任意に、ターゲットエリアのアクセスモードがハイブリッドアクセスモードであり、ターゲットエリアにおけるUEのタイプが判定されると、ソースアクセスNEは、この情報をターゲットアクセスNEに送信する。ターゲットアクセスNEは、UEがCSGメンバーであるかどうかに応じて微分QoS制御を実施する。たとえば、ターゲットアクセスNEは、CSGメンバーに対して微分QoS制御を実施し、すなわち、CSGメンバーがより高い優先順位でネットワーク資源を使用するのを可能にし、それによってユーザの体験をさらに向上させることができる。
【０１０６】
注:ターゲットエリアのアクセスモードがハイブリッドアクセスモードであるときは、UEの許容CSGリストが取得されず、たとえば、UEが、登録された許容CSGリスト情報を有さない場合でも、UEはターゲットエリアへのハンドオーバを確実に行い、したがって、UEのサービスの連続性が確保され、ユーザの体験が向上する。
【０１０７】
第3の実施形態のハンドオーバ制御方法では、コア管理NEがハンドオーバ時にハンドオーバ制御を実施する。第3の実施形態はX2方式のハンドオーバに対処する。ソースアクセスNEとターゲットアクセスNEが互いにメッセージを送信することができ、コア管理NEは変更されず、すなわち、ソースコア管理NEとターゲットコア管理NEは同じコア管理NEである。図5に示されているように、第3の実施形態のフローチャートは以下のステップを含む。
【０１０８】
ステップ501:ソースアクセスNEがターゲットアクセスNEにハンドオーバ要求メッセージを送信する。
【０１０９】
ターゲットアクセスNEは家庭用WAP(たとえば、HNB、HeNB、または家庭用非3GPP WAP)あるいはCSG機能を有するWAP(たとえば、NodeB、eNodeB、または非3GPP WAP)、HNB GW、HeNB W、または家庭用非3GPP WAP GWであってよい。
【０１１０】
ステップ502:ターゲットアクセスNEは、ソースアクセスNEにハンドオーバ要求肯定応答メッセージを返す。
【０１１１】
任意に、ターゲットアクセスNEは、ターゲットエリアのアクセスモードおよびCSG ID情報を伝達することができる。
【０１１２】
ステップ503:ソースアクセスNEは、UEにハンドオーバコマンドメッセージを送信し、ターゲットエリアにハンドオーバするようUEに通知する。
【０１１３】
任意に、UEは、ターゲットエリアのCSG IDがUEの許容CSGリストに含まれているかどうかを判定することができ、ターゲットエリアのCSG IDがUEの許容CSGリストに含まれている場合、UEはこのターゲットエリアにおけるCSGメンバーであり、ターゲットエリアのCSG IDがUEの許容CSGリストに含まれていない場合、UEはターゲットエリアの非CSGメンバーである。UEは、第2の実施形態の方法1のステップ205に関連してターゲットエリアのアクセスモードおよびCSG ID情報を取得することができる。
【０１１４】
注:任意に、UEは、登録された許容CSGリスト情報を有さない場合、ターゲットエリアの非CSGメンバーであると判定される。
【０１１５】
ステップ504:UEは、ターゲットエリアへのハンドオーバを行い、ターゲットアクセスNEにハンドオーバ確認メッセージを送信する。
【０１１６】
このメッセージは、UEがこのターゲットエリアにおけるCSGメンバーであるかどうかに関する情報を伝達することができ、それによって、その後、ターゲットアクセスNEはCSGメンバーに対して特別な処理、たとえば微分QoS制御を実行することができる。
【０１１７】
ステップ505:ターゲットアクセスNEは、コア管理NEにパス切り替え要求メッセージを送信する。
【０１１８】
ターゲットアクセスNEは、このメッセージでターゲットエリアのアクセスモードおよびCSG ID情報を伝達することができる。
【０１１９】
ステップ506:コア管理NEは、ターゲットエリアのアクセスモードおよびCSG ID情報、ならびにUEの許容CSGリスト情報を取得する。
【０１２０】
コア管理NEは、ターゲットエリアのアクセスモードおよびCSG ID情報を以下の方法のうちの少なくとも1つで取得することができる。
【０１２１】
(1)ターゲットアクセスNEは、パス切り替え要求メッセージでターゲットエリアのアクセスモードおよびCSG ID情報を伝達する。
【０１２２】
(2)コア管理NEは、ターゲットエリアとアクセスモードとの間およびターゲットエリアとCSG IDとの間のマップによって構成される。コア管理NEは、このマップに応じてターゲットエリアのアクセスモードおよびCSG ID情報を取得する。
【０１２３】
(3)コア管理NEは、セルとアクセスモードとの間およびセルとCSG IDとの間のマップによって構成される。ターゲットアクセスNEは、パス切り替え要求メッセージでセル情報を伝達し、コア管理NEは、セル情報に応じてターゲットエリアのアクセスモードおよびCSG ID情報を取得する。
【０１２４】
(4)HMSまたは事業者のバックエンドシステム、たとえば、事業者のOSSまたはBOSSは、ターゲットエリアとアクセスモードとの間およびターゲットエリアとCSG IDとの間のマップによって構成される。コア管理NEは、HMSまたは事業者のバックエンドシステムにターゲットエリアのアクセスモードおよびCSG IDについて問い合わせる。
【０１２５】
UEがコア管理NEに登録されている場合、コア管理NEは、UEの許容CSGリスト情報をHSSから取得することができる。たとえば、コア管理NEはHSSに位置更新メッセージを送信し、HSSはコア管理NEに位置更新肯定応答メッセージを返し、この場合、位置更新肯定応答メッセージはUEの許容CSGリスト情報を伝達する。
【０１２６】
注:コア管理NEによって許容CSGリストを取得するプロセスは任意である。UEが、登録された許容CSGリスト情報を有さない場合、コア管理NEによってHSSから得られるUE加入情報にはUEの許容CSGリストは含まれず、すなわち、コア管理NEはUEの許容CSGリストを取得することができない。
【０１２７】
AGWが存在する場合、このメッセージは、ターゲットAGWを通じてコア管理NEに送信される。
【０１２８】
ステップ507:コア管理NEは、アクセスおよびハンドオーバを実行するかどうかを判定する。
【０１２９】
コア管理NEは、ターゲットエリアのアクセスモードおよびCSG ID、ならびにUEの許容CSGリスト情報を取得した後、アクセスモードに応じてターゲットエリアへのハンドオーバを行うかどうかおよび/またはターゲットエリアのCSG IDがUEの許容CSGリストに含まれているかどうかを判定する。コア管理NEは、ハンドオーバを開始するかどうかを以下のように判定することができる。
【０１３０】
コア管理NEはまず、ターゲットエリアのアクセスモードを判定する。具体的な判定ステップは以下のとおりである。
【０１３１】
(1)ターゲットエリアのアクセスモードがハイブリッドアクセスモードである場合、コア管理NEはこのターゲットエリアを選択し、このターゲットエリアのCSG IDがUEの許容CSGリストに含まれているかどうかにかかわらずハンドオーバ手順を開始し、後に続くステップ508bを実行する。任意に、コア管理NEは、ターゲットエリアのCSG IDがUEの許容CSGリストに含まれているかどうかを判定し、ターゲットエリアのCSG IDがUEの許容CSGリストに含まれている場合、UEはこのターゲットエリアにおけるCSGメンバーであり、ターゲットエリアのCSG IDがUEの許容CSGリストに含まれていない場合、UEはターゲットエリアの非CSGメンバーであり、したがって、その後UEがCSGメンバーであるかどうかに関する情報をターゲットアクセスNEに送信することができる。あるいは、
【０１３２】
(2)ターゲットエリアのアクセスモードがクローズドアクセスモードである場合、コア管理NEは、ターゲットエリアのCSG IDがUEの許容CSGリストに含まれているかどうかを判定する。ターゲットエリアのCSG IDがUEの許容CSGリストに含まれている場合、コア管理NEはこのターゲットエリアを選択してハンドオーバ手順を開始し、後に続くステップ508bを実行し、ターゲットエリアのCSG IDがUEの許容CSGリストに含まれていない場合、コア管理NEがこのターゲットエリアを選択してハンドオーバ手順を開始し、後に続くステップ508aを実行することはできない。
【０１３３】
他の方法は以下のとおりである。コア管理NEはまず、ターゲットエリアのCSG IDがUEの許容CSGリストに含まれているかどうかを判定する。具体的な判定ステップは以下のとおりである。
【０１３４】
(1)ターゲットエリアのCSG IDがUEの許容CSGリストに含まれている場合、UEはこのターゲットエリアにおけるCSGメンバーであり、コア管理NEはこのターゲットエリアを選択してハンドオーバ手順を開始し、後に続くステップ508bを実行する。
【０１３５】
(2)ターゲットエリアのCSG IDがUEの許容CSGリストに含まれていない場合、すなわち、UEがターゲットエリアにおける非CSGメンバーである場合、コア管理NEは、ターゲットエリアのアクセスモードがどちらのアクセスモードであるかを判定する。ターゲットエリアのアクセスモードがハイブリッドアクセスモードである場合、コア管理NEはこのターゲットエリアを選択してハンドオーバ手順を開始し、後に続くステップ508bを実行し、ターゲットエリアのアクセスモードがクローズドアクセスモードである場合、コア管理NEはこのターゲットエリアを選択してハンドオーバ手順を開始することができず、後に続くステップ508aを実行する。
【０１３６】
注:コア管理NEがターゲットエリアのアクセスモードおよびCSG IDを取得したが、UEの許容CSGリストを取得しておらず、たとえば、UEが、登録された許容CSGリスト情報を有さない場合、コア管理NEがハンドオーバの決定を下し、UEがCSGメンバーであるかどうかを判定するステップは、第2の実施形態の方法1のステップ202と同様であり、ここでは説明しない。
【０１３７】
ステップ508a:コア管理NEはアクセスおよびハンドオーバを拒絶する。
【０１３８】
コア管理NEは、ターゲットアクセスNEのパス切り替え要求メッセージを拒絶する場合、ターゲットアクセスNEにハンドオーバ拒絶メッセージを送信する。ハンドオーバ拒絶メッセージは、拒絶が、CSGアクセスが制限されたことによるものであることを示す情報を伝達することができ(たとえば、このメッセージは「原因(Cause)」値「CSGアクセスが制限された(CSG Access Restricted)」を伝達する)、あるいはこのメッセージは、UEの許容CSGリスト情報を伝達し、このようにして、ソースアクセスNEがその後、このターゲットエリアをハンドオーバの対象として選択することはなくなる。
【０１３９】
ステップ508b:コア管理NEはアクセスおよびハンドオーバを許可する。
【０１４０】
コア管理NEは、ターゲットアクセスNEのパス切り替え要求メッセージを受け入れる場合、ターゲットアクセスNEにパス切り替え要求肯定応答メッセージを返し、この場合、パス切り替え要求肯定応答メッセージは、UEがこのターゲットエリアにおけるCSGメンバーであるかどうかに関する情報を伝達することができ、それによって、その後、ターゲットアクセスNEはCSGメンバーに対して特別な処理、たとえば微分QoS制御を実行することができる。
【０１４１】
ステップ509:ターゲットアクセスNEはソースアクセスNEに資源解放メッセージを送信する。
【０１４２】
これで、コア管理NEが、ハンドオーバを開始するかどうかを判定し、UEにターゲットエリアへのハンドオーバを実行させるプロセスが終了する。
【０１４３】
本発明の第3の実施形態では、コア管理NEが、アクセスモードに応じてターゲットエリアへのハンドオーバを行うかどうかおよび/またはターゲットエリアのCSG IDがUEの許容CSGリストに含まれているかどうかを判定し、UEがアクセスを許可されているターゲットエリアへのハンドオーバをUEに確実に行わせる。特に、ターゲットエリアのアクセスモードがハイブリッドアクセスモードであるとき、UEは、ターゲットエリアのCSG IDがUEの許容CSGリストに含まれていない場合でもターゲットエリアへのハンドオーバを確実に行い、したがって、UEのサービスの連続性が確保され、ユーザの体験が向上する。任意に、ターゲットエリアのアクセスモードおよびCSG IDがターゲットアクセスNEから供給されてよく、それによって、ソースアクセスNEがこの情報を取得することによる従来技術に対する修正を低減させることができる。たとえば、この情報は、UEによって報告される測定レポートで伝達される。さらに、ターゲットアクセスNEから供給される情報の方が信頼性が高い。
【０１４４】
任意に、ターゲットエリアのアクセスモードがハイブリッドアクセスモードであり、このターゲットエリアにおけるUEのタイプが判定されると、ソースアクセスNEはこの情報をターゲットアクセスNEに送信する。ターゲットアクセスNEは、UEがCSGメンバーであるかどうかに応じて微分QoS制御を実施する。たとえば、ターゲットアクセスNEは、CSGメンバーに対して微分QoS制御を実施し、すなわち、このCSGメンバーがより高い優先順位でネットワーク資源を使用できるようにし、それによって、ユーザの体験をさらに向上させることができる。
【０１４５】
注:任意に、ターゲットエリアのアクセスモードがハイブリッドアクセスモードであるとき、UEの許容CSGリスト情報が取得されず、たとえば、UEが、登録された許容CSGリスト情報を有さない場合でも、UEはターゲットエリアへのハンドオーバを確実に行い、したがって、UEのサービスの連続性が確保され、ユーザの体験が向上する。
【０１４６】
第4の実施形態のハンドオーバ制御方法では、ソースコア管理NEがハンドオーバ時にハンドオーバ制御を実施する。第4の実施形態はS1方式のハンドオーバに対処する。ソースアクセスNEとターゲットアクセスNEは、互いにメッセージを送信することができず、コア管理NEを通じてメッセージを送信する必要があり、コア管理NEは変更される。図6に示されているように、第4の実施形態のフローチャートには以下のステップが含まれる。
【０１４７】
ステップ601:ソースアクセスNEが、ソースコア管理NEにハンドオーバ必要メッセージを送信する。
【０１４８】
ステップ602:ソースコア管理NEは、ターゲットエリアのアクセスモードおよびCSG ID情報、ならびにUEの許容CSGリスト情報を取得する。
【０１４９】
ソースコア管理NEは、ターゲットエリアのアクセスモードおよびCSG ID情報を以下の方法のうちの少なくとも1つで取得することができる。
【０１５０】
(1)ソースアクセスNEは、ハンドオーバ必要メッセージでターゲットエリアのアクセスモードおよびCSG ID情報を伝達する。
【０１５１】
(2)ソースコア管理NEは、ターゲットエリアとアクセスモードとの間およびターゲットエリアとCSG IDとの間のマップによって構成される。ソースコア管理NEは、このマップに応じてターゲットエリアのアクセスモードおよびCSG ID情報を取得する。
【０１５２】
(3)ソースコア管理NEは、セルとアクセスモードとの間およびセルとCSG IDとの間のマップによって構成される。ソースアクセスNEは、ハンドオーバ要求メッセージでセル情報を伝達し、ソースコア管理NEは、セル情報に応じてターゲットエリアのアクセスモードおよびCSG ID情報を取得する。
【０１５３】
(4)HMSまたは事業者のバックエンドシステム、たとえば、事業者のOSSまたはBOSSは、ターゲットエリアとアクセスモードとの間およびターゲットエリアとCSG IDとの間のマップによって構成される。ソースコア管理NEは、HMSまたは事業者のバックエンドシステムにターゲットエリアのアクセスモードおよびCSG IDについて問い合わせる。
【０１５４】
UEがソースコア管理NEに登録されている場合、ソースコア管理NEは、UEの許容CSGリスト情報をHSSから取得することができる。たとえば、ソースコア管理NEはHSSに位置更新メッセージを送信し、HSSはソースコア管理NEに位置更新肯定応答メッセージを返し、この場合、位置更新肯定応答メッセージはUEの許容CSGリスト情報を伝達する。
【０１５５】
注:ソースコア管理NEによって許容CSGリストを取得するプロセスは任意である。UEが、登録された許容CSGリスト情報を有さない場合、ソースコア管理NEによってHSSから得られるUE加入情報にはUEの許容CSGリストは含まれず、すなわち、ソースコア管理NEはUEの許容CSGリストを取得することができない。
【０１５６】
ステップ603:ソースコア管理NEは、アクセスおよびハンドオーバを実行するかどうかを判定する。
【０１５７】
ソースコア管理NEは、ターゲットエリアのアクセスモードおよびCSG ID、ならびにUEの許容CSGリスト情報を取得した後、アクセスモードに応じてターゲットエリアへのハンドオーバを行うかどうかおよび/またはターゲットエリアのCSG IDがUEの許容CSGリストに含まれているかどうかを判定する。ソースコア管理NEは、ハンドオーバを開始するかどうかを以下のように判定することができる。
【０１５８】
ソースコア管理NEはまず、ターゲットエリアのアクセスモードを判定する。具体的な判定ステップは以下のとおりである。
【０１５９】
(1)ターゲットエリアのアクセスモードがハイブリッドアクセスモードである場合、ソースコア管理NEはこのターゲットエリアを選択し、このターゲットエリアのCSG IDがUEの許容CSGリストに含まれているかどうかにかかわらずハンドオーバ手順を開始し、後に続くステップ604bを実行する。任意に、ソースコア管理NEは、ターゲットエリアのCSG IDがUEの許容CSGリストに含まれているかどうかを判定し、ターゲットエリアのCSG IDがUEの許容CSGリストに含まれている場合、UEはこのターゲットエリアにおけるCSGメンバーであり、ターゲットエリアのCSG IDがUEの許容CSGリストに含まれていない場合、UEはターゲットエリアの非CSGメンバーであり、したがって、その後UEがCSGメンバーであるかどうかに関する情報をターゲットアクセスNEに送信することができる。あるいは、
【０１６０】
(2)ターゲットエリアのアクセスモードがクローズドアクセスモードである場合、ソースコア管理NEは、ターゲットエリアのCSG IDがUEの許容CSGリストに含まれているかどうかを判定する。ターゲットエリアのCSG IDがUEの許容CSGリストに含まれている場合、ソースコア管理NEはこのターゲットエリアを選択してハンドオーバ手順を開始し、後に続くステップ604bを実行し、ターゲットエリアのCSG IDがUEの許容CSGリストに含まれていない場合、ソースコア管理NEがこのターゲットエリアを選択してハンドオーバ手順を開始し、後に続くステップ604aを実行することはできない。
【０１６１】
他の方法は以下のとおりである。ソースコア管理NEはまず、ターゲットエリアのCSG IDがUEの許容CSGリストに含まれているかどうかを判定する。具体的な判定ステップは以下のとおりである。
【０１６２】
(1)ターゲットエリアのCSG IDがUEの許容CSGリストに含まれている場合、UEはこのターゲットエリアにおけるCSGメンバーであり、ソースコア管理NEはこのターゲットエリアを選択してハンドオーバ手順を開始し、後に続くステップ604bを実行する。
【０１６３】
(2)ターゲットエリアのCSG IDがUEの許容CSGリストに含まれていない場合、すなわち、UEがターゲットエリアにおける非CSGメンバーである場合、ソースコア管理NEは、ターゲットエリアのアクセスモードがどちらのアクセスモードであるかを判定する。ターゲットエリアのアクセスモードがハイブリッドアクセスモードである場合、ソースコア管理NEはこのターゲットエリアを選択してハンドオーバ手順を開始し、後に続くステップ604bを実行し、ターゲットエリアのアクセスモードがクローズドアクセスモードである場合、ソースコア管理NEはこのターゲットエリアを選択してハンドオーバ手順を開始することができず、後に続くステップ604aを実行する。
【０１６４】
注:ソースコア管理NEがターゲットエリアのアクセスモードおよびCSG IDを取得したが、UEの許容CSGリストを取得しておらず、たとえば、UEが、登録された許容CSGリスト情報を有さない場合、ソースコア管理NEがハンドオーバの決定を下し、UEがCSGメンバーであるかどうかを判定するステップは、第2の実施形態の方法1のステップ202と同様であり、ここでは説明しない。
【０１６５】
ステップ604a:ソースコア管理NEはアクセスおよびハンドオーバを拒絶する。
【０１６６】
ソースコア管理NEは、ソースアクセスNEのハンドオーバ必要メッセージを拒絶する場合、ソースアクセスNEにハンドオーバ拒絶メッセージを送信する。ハンドオーバ拒絶メッセージは、拒絶が、CSGアクセスが制限されたことによるものであることを示す情報を伝達することができ(たとえば、このメッセージは「原因」値「CSGアクセスが制限された」を伝達する)、あるいはこのメッセージは、UEの許容CSGリスト情報を伝達し、このようにして、ソースアクセスNEがその後、このターゲットエリアをハンドオーバの対象として選択することはなくなる。
【０１６７】
ステップ604b:ソースコア管理NEはアクセスおよびハンドオーバを許可する。
【０１６８】
ソースコア管理NEは、ソースアクセスNEのハンドオーバ必要メッセージを受け入れる場合、ターゲットコア管理NEにフォワードリロケーション要求メッセージを返す。このメッセージは、UEがこのターゲットエリアにおけるCSGメンバーであるかどうかに関する情報を伝達することができる。
【０１６９】
ステップ605:ターゲットコア管理NEは、ターゲットアクセスNEにハンドオーバ要求メッセージを送信し、この場合、ハンドオーバ要求メッセージは、UEがこのターゲットエリアにおけるCSGメンバーであるかどうかに関する情報を伝達することができ、それによって、その後、ターゲットアクセスNEはCSGメンバーに対して特別な処理、たとえば微分QoS制御を実行することができる。
【０１７０】
ターゲットアクセスNEは(HNB、HeNB、または家庭用非3GPP WAPのような)家庭用WAPあるいは(NodeB、eNodeB、または非3GPP WAPのような)CSG機能を有するWAPであってよい。
【０１７１】
ステップ606:ターゲットアクセスNEは、ターゲットコア管理NEにハンドオーバ要求肯定応答メッセージを返す。
【０１７２】
このメッセージは、ターゲットエリアのアクセスモードおよびCSG ID情報を伝達することができる。
【０１７３】
AGWが存在する場合、ターゲットアクセスNEはターゲットAGWを通じてターゲットコア管理NEとやり取りする。
【０１７４】
ステップ607:ターゲットコア管理NEは、ソースコア管理NEにフォワードリロケーション応答メッセージを返す。
【０１７５】
このステップの任意の解決策は以下のとおりである。
【０１７６】
ターゲットエリアのアクセスモードおよびCSG IDが、ステップ601でソースアクセスNEがソースコア管理NEに送信するメッセージで伝達されない場合、ステップ607のフォワードリロケーション応答メッセージは、ターゲットエリアのアクセスモードおよびCSG ID情報を伝達することができ、ソースコア管理NEは、このステップでアクセスおよびハンドオーバを実行するかどうかを判定し、すなわち、ソースコア管理NEは、フォワードリロケーション応答メッセージを受信した後、ハンドオーバを開始するかどうかを判定する。
【０１７７】
ソースコア管理NEが、このターゲットエリアを選択してハンドオーバ手順を開始することを行わない場合、後に続くステップ608aが実行され、ソースコア管理NEが、このターゲットエリアを選択してハンドオーバ手順を開始する場合、後に続くステップ608bが実行される。
【０１７８】
ソースコア管理NEがターゲットエリアのアクセスモードおよびCSG ID情報を取得するプロセスについては、この実施形態のステップ602を参照されたい。また、ターゲットコア管理NEによって送信されるフォワードリロケーション要求メッセージは、ターゲットエリアのアクセスモードおよびCSG ID情報を伝達することができる。
【０１７９】
ソースコア管理NEがハンドオーバの決定を下し、UEがCSGメンバーであるかどうかを判定するプロセスについては、この実施形態のステップ603の説明を参照されたい。
【０１８０】
注:ソースコア管理NEがターゲットエリアのアクセスモードおよびCSG IDを取得したが、UEの許容CSGリストを取得しておらず、たとえば、UEが、登録された許容CSGリスト情報を有さない場合、ソースコア管理NEがハンドオーバの決定を下し、UEがCSGメンバーであるかどうかを判定するステップは、第2の実施形態の方法1のステップ202と同様であり、ここでは説明しない。
【０１８１】
ステップ608a:ソースコア管理NEはアクセスおよびハンドオーバを拒絶する。
【０１８２】
ソースコア管理NEは、ハンドオーバを拒絶することを示す場合、ソースアクセスNEにハンドオーバ拒絶メッセージを送信する。ハンドオーバ拒絶メッセージは、拒絶が、CSGアクセスが制限されたことによるものであることを示す情報を伝達することができ(たとえば、このメッセージは「原因」値「CSGアクセスが制限された」を伝達する)、あるいはこのメッセージは、UEの許容CSGリスト情報を伝達し、このようにして、ソースアクセスNEがその後、このターゲットエリアをハンドオーバの対象として選択することはない。
【０１８３】
ステップ608b:ソースコア管理NEはアクセスおよびハンドオーバを許可する。
【０１８４】
ソースコア管理NEは、ハンドオーバが成功したことを示す場合、ソースアクセスNEにハンドオーバコマンドメッセージを送信する。
【０１８５】
このメッセージは、UEがこのターゲットエリアにおけるCSGメンバーであるかどうかに関する情報を伝達することができる。任意に、このメッセージは、ターゲットエリアのアクセスモードおよびCSG ID情報を伝達することができる。
【０１８６】
ステップ609:ソースアクセスNEがハンドオーバコマンドメッセージを受信した場合、ソースアクセスNEは、ハンドオーバコマンドメッセージをUEに送信し、UEにターゲットエリアへのハンドオーバを行うように通知する。
【０１８７】
任意に、ステップ605でUEがCSGメンバーであるかどうかについてターゲットアクセスNEに通知することは以下の方法に従ってステップ609および610で実施することができる。UEは、ターゲットエリアのCSG IDがUEの許容CSGリストに含まれているかを判定することができ、ターゲットエリアのCSG IDがUEの許容CSGリストに含まれている場合、UEはこのターゲットエリアにおけるCSGメンバーであり、ターゲットエリアのCSG IDがUEの許容CSGリストに含まれていない場合、UEはターゲットエリアの非CSGメンバーである。UEは、第2の実施形態の方法1のステップ205に関連してターゲットエリアのアクセスモードおよびCSG ID情報を取得することができる。ソースアクセスNEがハンドオーバ拒絶メッセージを受信し、このメッセージが、ハンドオーバに対する拒絶がCSGアクセスが制限されたことによって生じたことを示す情報を伝達する場合、ソースアクセスNEがその後、このターゲットエリアを選択してハンドオーバ手順を実行することはない。
【０１８８】
注:任意に、UEは、登録された許容CSGリスト情報を有さない場合、ターゲットエリアの非CSGメンバーであると判定される。
【０１８９】
ステップ610:UEは、ターゲットエリアへのハンドオーバを行い、ターゲットアクセスNEにハンドオーバ確認メッセージを送信する。
【０１９０】
このメッセージは、UEがこのターゲットエリアにおけるCSGメンバーであるかどうかに関する情報を伝達することができ、それによって、その後、ターゲットアクセスNEはCSGメンバーに対して特別な処理、たとえば微分QoS制御を実行することができる。
【０１９１】
ステップ611:ターゲットアクセスNEは、ターゲットコア管理NEにハンドオーバ通知メッセージを送信し、UEがターゲットエリアへのハンドオーバを行ったことをターゲットコア管理NEに通信する。
【０１９２】
ステップ612:ソースコア管理NEはソースアクセスNEとやり取りしてUEコンテキストを解放する。
【０１９３】
これで、ソースコア管理NEが、ハンドオーバを開始するかどうかを判定し、UEにターゲットエリアへのハンドオーバを実行させるプロセスが終了する。
【０１９４】
本発明の第4の実施形態では、ソースコア管理NEが、アクセスモードに応じてターゲットエリアへのハンドオーバを行うかどうかおよび/またはターゲットエリアのCSG IDがUEの許容CSGリストに含まれているかどうかを判定し、UEがアクセスを許可されているターゲットエリアへのハンドオーバをUEに確実に行わせる。特に、ターゲットエリアのアクセスモードがハイブリッドアクセスモードであるとき、UEは、ターゲットエリアのCSG IDがUEの許容CSGリストに含まれていない場合でもターゲットエリアへのハンドオーバを確実に行い、したがって、UEのサービスの連続性が確保され、ユーザの体験が向上する。任意に、ターゲットエリアのアクセスモードおよびCSG IDがターゲットアクセスNEから供給されてよく、それによって、ソースアクセスNEがこの情報を取得することによる従来技術に対する修正を低減させることができる。たとえば、この情報は、UEによって報告される測定レポートで伝達される。さらに、ターゲットアクセスNEから供給される情報の方が信頼性が高い。
【０１９５】
任意に、ターゲットエリアのアクセスモードがハイブリッドアクセスモードであり、このターゲットエリアにおけるUEのタイプが判定されると、ソースアクセスNEはこの情報をターゲットアクセスNEに送信する。ターゲットアクセスNEは、UEがCSGメンバーであるかどうかに応じて微分QoS制御を実施する。たとえば、ターゲットアクセスNEは、CSGメンバーに対して微分QoS制御を実施し、すなわち、このCSGメンバーがより高い優先順位でネットワーク資源を使用できるようにし、それによって、ユーザの体験をさらに向上させることができる。
【０１９６】
注:任意に、ターゲットエリアのアクセスモードがハイブリッドアクセスモードであるとき、UEの許容CSGリスト情報が取得されず、たとえば、UEが、登録された許容CSGリスト情報を有さない場合でも、UEはターゲットエリアへのハンドオーバを確実に行い、したがって、UEのサービスの連続性が確保され、ユーザの体験が向上する。
【０１９７】
第5の実施形態のハンドオーバ制御方法では、ターゲットコア管理NEがハンドオーバ時にハンドオーバ制御を実施する。第5の実施形態はS1方式のハンドオーバに対処する。ソースアクセスNEとターゲットアクセスNEは、互いにメッセージを送信することができず、コア管理NEを通じてメッセージを送信する必要があり、コア管理NEは変更される。図7に示されているように、第5の実施形態のフローチャートには以下のステップが含まれる。
【０１９８】
ステップ701:ソースアクセスNEが、ソースコア管理NEにハンドオーバ必要メッセージを送信する。
【０１９９】
ステップ702:ソースコア管理NEは、ターゲットコア管理NEにフォワードリロケーション要求メッセージを送信する。
【０２００】
ソースコア管理NEは、UEの許容CSGリスト、ならびにターゲットエリアのアクセスモードおよびCSG ID情報をフォワードリロケーション要求メッセージで伝達することができる。ソースコア管理NEがUEの許容CSGリストならびにターゲットエリアのアクセスモードおよびCSG ID情報を取得するプロセスについては、第4の実施形態のステップ602の説明を参照されたい。
【０２０１】
注:ソースコア管理NEは、UEの許容CSGリスト情報を伝達してもしなくてもよい。UEが、登録された許容CSGリスト情報を有さない場合、ソースコア管理NEによってHSSから取得されるUE加入情報にはUEの許容CSGリストは含まれず、すなわち、ソースコア管理NEがUEの許容CSGリストを取得することはできない。
【０２０２】
ステップ703:ターゲットコア管理NEは、ターゲットエリアのアクセスモードおよびCSG ID情報、ならびにUEの許容CSGリスト情報を取得する。
【０２０３】
ターゲットコア管理NEは、ターゲットエリアのアクセスモードおよびCSG ID情報を以下の方法のうちの少なくとも1つで取得することができる。
【０２０４】
(1)ソースコア管理NEによって送信されるフォワードリロケーション要求メッセージは、ターゲットエリアのアクセスモードおよびCSG ID情報を伝達する。
【０２０５】
(2)ターゲットコア管理NEは、ターゲットエリアとアクセスモードとの間およびターゲットエリアとCSG IDとの間のマップによって構成される。ターゲットコア管理NEは、このマップに応じてターゲットエリアのアクセスモードおよびCSG ID情報を取得する。
【０２０６】
(3)ターゲットコア管理NEは、セルIDとアクセスモードとの間およびセルIDとCSG IDとの間のマップによって構成される。ターゲットアクセスNEは、ハンドオーバ要求肯定応答メッセージでセルID情報を伝達し、あるいはソースコア管理NEによって送信されるフォワードリロケーション要求メッセージは、ターゲットアクセスNEのセルID情報を伝達し、ターゲットコア管理NEは、セルIDに応じてターゲットエリアのアクセスモードおよびCSG ID情報を取得する。
【０２０７】
(4)HMSまたは事業者のバックエンドシステム、たとえば、事業者のOSSまたはBOSSは、ターゲットエリアとアクセスモードとの間およびターゲットエリアとCSG IDとの間のマップによって構成される。ターゲットコア管理NEは、HMSまたは事業者のバックエンドシステムにターゲットエリアのアクセスモードおよびCSG IDについて問い合わせる。
【０２０８】
注:ターゲットコア管理NEによって許容CSGリスト情報を取得するプロセスは任意である。UEが、登録された許容CSGリスト情報を有さない場合、ソースコア管理NEがUEの許容CSGリスト情報を取得することはできず、ソースコア管理NEはターゲットコア管理NEにUEの許容CSGリストを通知することはできない。したがって、ターゲットコア管理NEがUEの許容CSGリスト情報を取得することはできない。
【０２０９】
ステップ704:ターゲットコア管理NEは、アクセスおよびハンドオーバを実行するかどうかを判定する。
【０２１０】
ターゲットコア管理NEは、ターゲットエリアのアクセスモードおよびCSG ID、ならびにUEの許容CSGリスト情報を取得した後、アクセスモードに応じてターゲットエリアへのハンドオーバを行うかどうかおよび/またはターゲットエリアのCSG IDがUEの許容CSGリストに含まれているかどうかを判定する。ターゲットコア管理NEがハンドオーバを開始するかどうかおよびUEがCSGメンバーであるかどうかを判定するプロセスについては、第4の実施形態のステップ603の説明を参照されたい。
【０２１１】
注:ターゲットコア管理NEがターゲットエリアのアクセスモードおよびCSG IDを取得したが、UEの許容CSGリストを取得しておらず、たとえば、UEが、登録された許容CSGリスト情報を有さない場合、ターゲットコア管理NEがハンドオーバの決定を下し、UEがCSGメンバーであるかどうかを判定するステップは、第2の実施形態の方法1のステップ202と同様であり、ここでは説明しない。
【０２１２】
ステップ705:ターゲットコア管理NEはアクセスおよびハンドオーバを許可する。
【０２１３】
ターゲットコア管理NEは、ソースコア管理NEのフォワードリロケーション要求メッセージを受け入れる場合、ターゲットアクセスNEにハンドオーバ要求メッセージを送信する。
【０２１４】
このメッセージは、UEがこのターゲットエリアにおけるCSGメンバーであるかどうかに関する情報を伝達し、それによって、その後、ターゲットアクセスNEはCSGメンバーに対して特別な処理、たとえば微分QoS制御を実行することができる。
【０２１５】
ターゲットアクセスNEは、家庭用WAP(たとえば、HNB、HeNB、または家庭用非3GPP WAP)、CSG機能を有するWAP(たとえば、NodeB、eNodeB、または非3GPP WAP)、HNB GW、HeNB GW、あるいは家庭用非3GPP WAP GWであってよい。
【０２１６】
ステップ706:ターゲットアクセスNEは、ターゲットコア管理NEにハンドオーバ要求肯定応答メッセージを返す。
【０２１７】
ターゲットアクセスNEは、このメッセージでターゲットエリアのアクセスモードおよびCSG ID情報を伝達することができる。
【０２１８】
AGWが存在する場合、ターゲットアクセスNEはターゲットAGWを通じてターゲットコア管理NEとやり取りする。
【０２１９】
ステップ704でハンドオーバの決定が下され、ターゲットコア管理NEが、UEがターゲットエリアへのハンドオーバを行うのを拒絶した場合、ステップ705および706は実行されない。
【０２２０】
ステップ707:ターゲットエリアのアクセスモードおよびCSG IDが、ステップ702でソースコア管理NEがターゲットコア管理NEに送信するフォワードリロケーション要求メッセージで伝達されず、ステップ704でハンドオーバの決定が下されない場合、ハンドオーバを開始するかどうかを判定するプロセスはステップ706の後で実行してもよい。すなわち、ターゲットコア管理NEは、ターゲットアクセスNEからハンドオーバ要求肯定応答メッセージを受信した後、ハンドオーバを開始するかどうかを判定する。
【０２２１】
ターゲットコア管理NEがターゲットエリアのアクセスモードおよびCSG ID情報を取得するプロセスについては、この実施形態のステップ703の説明を参照されたい。また、ターゲットアクセスNEによって送信されるハンドオーバ要求肯定応答メッセージは、ターゲットエリアのアクセスモードおよびCSG ID情報を伝達することができる。
【０２２２】
ターゲットコア管理NEがハンドオーバの決定を下し、UEがCSGメンバーであるかどうかを判定するプロセスについては、この実施形態のステップ704の説明を参照されたい。
【０２２３】
注:ターゲットコア管理NEがターゲットエリアのアクセスモードおよびCSG IDを取得したが、UEの許容CSGリストを取得しておらず、たとえば、UEが、登録された許容CSGリスト情報を有さない場合、ターゲットコア管理NEがハンドオーバの決定を下し、UEがCSGメンバーであるかどうかを判定するステップは、第2の実施形態の方法1のステップ202と同様であり、ここでは説明しない。
【０２２４】
ターゲットコア管理NEは、ハンドオーバの決定を下した後、ソースコア管理NEにフォワードリロケーション応答メッセージを返す。
【０２２５】
ターゲットコア管理NEは、ハンドオーバが成功したことを示す場合、ソースコア管理NEにフォワードリロケーション応答メッセージを送信し、後に続くステップ709bを実行する。このメッセージは、UEがこのターゲットエリアにおけるCSGメンバーであるかどうかに関する情報を伝達することができる。任意に、このメッセージは、ターゲットエリアのアクセスモードおよびCSG ID情報を伝達することができる。
【０２２６】
ターゲットエリアのアクセスモードがクローズドアクセスモードであり、CSG IDがUEの許容CSGリストに含まれていない場合、ターゲットコア管理NEは、UEのハンドオーバを拒絶し、ハンドオーバを拒絶することを示すフォワードリロケーション応答メッセージをソースコア管理NEに返し、その後ステップ709aを実行する。
【０２２７】
ステップ708:ターゲットコア管理NEによってステップ706の後でハンドオーバの決定が下され、ターゲットコア管理NEがUEのハンドオーバを拒絶した場合、ターゲットコア管理NEはターゲットアクセスNEとやり取りして資源を解放する。このようにして、ステップ705および706でターゲットネットワーク上で確立されたネットワーク資源を解放することができ、ネットワーク資源の無駄が少なくなる。
【０２２８】
AGWが存在する場合、ターゲットコア管理NEはターゲットAGWを通じてターゲットアクセスNEとやり取りする。
【０２２９】
ステップ709a:ターゲットコア管理NEはアクセスおよびハンドオーバを拒絶する。
【０２３０】
ターゲットコア管理NEがハンドオーバを拒絶することを示す場合、ソースコア管理NEは、ソースアクセスNEにハンドオーバ拒絶メッセージを送信する。ハンドオーバ拒絶メッセージは、拒絶が、CSGアクセスが制限されたことによるものであることを示す情報を伝達することができ(たとえば、このメッセージは「原因」値「CSGアクセスが制限された」を伝達する)、あるいはこのメッセージは、UEの許容CSGリスト情報を伝達し、このようにして、ソースアクセスNEがその後、このターゲットエリアをハンドオーバの対象として選択することはない。
【０２３１】
ステップ709b:ターゲットコア管理NEはアクセスおよびハンドオーバを許可する。
【０２３２】
ターゲットコア管理NEがハンドオーバが成功したことを示す場合、ソースコア管理NEは、ソースアクセスNEにハンドオーバコマンドメッセージを送信する。
【０２３３】
このメッセージは、UEがこのターゲットエリアにおけるCSGメンバーであるかどうかに関する情報を伝達することができる。任意に、このメッセージは、ターゲットエリアのアクセスモードおよびCSG ID情報を伝達することができる。
【０２３４】
ステップ710:ソースアクセスNEは、ハンドオーバコマンドメッセージを受信した場合、UEにハンドオーバコマンドメッセージを送信し、UEにターゲットエリアへのハンドオーバを行うよう通知する。
【０２３５】
任意に、ステップ705でUEがCSGメンバーであるかどうかについてターゲットアクセスNEに通知することは以下の方法に従ってステップ710で実施することができる。UEは、ターゲットエリアのCSG IDがUEの許容CSGリストに含まれているかを判定することができ、ターゲットエリアのCSG IDがUEの許容CSGリストに含まれている場合、UEはこのターゲットエリアにおけるCSGメンバーであり、ターゲットエリアのCSG IDがUEの許容CSGリストに含まれていない場合、UEはターゲットエリアの非CSGメンバーである。UEは、第2の実施形態の方法1のステップ205に関連してターゲットエリアのアクセスモードおよびCSG ID情報を取得することができる。
【０２３６】
ソースアクセスNEがハンドオーバ拒絶メッセージを受信し、このメッセージが、ハンドオーバに対する拒絶がCSGアクセスが制限されたことによって生じたことを示す情報を伝達する場合、ソースアクセスNEがその後、このターゲットエリアを選択してハンドオーバ手順を開始することはない。
【０２３７】
注:任意に、UEは、登録された許容CSGリスト情報を有さない場合、ターゲットエリアの非CSGメンバーであると判定される。
【０２３８】
ステップ711:UEは、ターゲットエリアへのハンドオーバを行い、ターゲットアクセスNEにハンドオーバ確認メッセージを送信する。
【０２３９】
このメッセージは、UEがこのターゲットエリアにおけるCSGメンバーであるかどうかに関する情報を伝達することができ、それによって、その後、ターゲットアクセスNEはCSGメンバーに対して特別な処理、たとえば微分QoS制御を実行することができる。
【０２４０】
ステップ712:ターゲットアクセスNEは、ターゲットコア管理NEにハンドオーバ通知メッセージを送信し、UEがターゲットエリアへのハンドオーバを行ったことをターゲットコア管理NEに通信する。
【０２４１】
ステップ713:ソースコア管理NEはソースアクセスNEとやり取りしてUEコンテキストを解放する。
【０２４２】
これで、ターゲットアクセスNEが、ハンドオーバを開始するかどうかを判定し、UEにターゲットエリアへのハンドオーバを行わせるプロセスが終了する。
【０２４３】
本発明の第5の実施形態では、ターゲットコア管理NEが、アクセスモードに応じてターゲットエリアへのハンドオーバを行うかどうかおよび/またはターゲットエリアのCSG IDがUEの許容CSGリストに含まれているかどうかを判定し、UEがアクセスを許可されているターゲットエリアへのハンドオーバをUEに確実に行わせる。特に、ターゲットエリアのアクセスモードがハイブリッドアクセスモードであるとき、UEは、ターゲットエリアのCSG IDがUEの許容CSGリストに含まれていない場合でもターゲットエリアへのハンドオーバを確実に行い、したがって、UEのサービスの連続性が確保され、ユーザの体験が向上する。任意に、ターゲットエリアのアクセスモードおよびCSG IDがターゲットアクセスNEから供給されてよく、それによって、ソースアクセスNEがこの情報を取得することによる従来技術に対する修正を低減させることができる。たとえば、この情報は、UEによって報告される測定レポートで伝達される。さらに、ターゲットアクセスNEから供給される情報の方が信頼性が高い。
【０２４４】
任意に、ターゲットエリアのアクセスモードがハイブリッドアクセスモードであり、このターゲットエリアにおけるUEのタイプが判定されると、ソースアクセスNEはこの情報をターゲットアクセスNEに送信する。ターゲットアクセスNEは、UEがCSGメンバーであるかどうかに応じて微分QoS制御を実施する。たとえば、ターゲットアクセスNEは、CSGメンバーに対して微分QoS制御を実施し、すなわち、このCSGメンバーがより高い優先順位でネットワーク資源を使用できるようにし、それによって、ユーザの体験をさらに向上させることができる。
【０２４５】
注:任意に、ターゲットエリアのアクセスモードがハイブリッドアクセスモードであるとき、UEの許容CSGリスト情報が取得されず、たとえば、UEが、登録された許容CSGリスト情報を有さない場合でも、UEはターゲットエリアへのハンドオーバを確実に行い、したがって、UEのサービスの連続性が確保され、ユーザの体験が向上する。
【０２４６】
第6の実施形態のハンドオーバ制御方法では、ターゲットアクセスNEがハンドオーバ時にハンドオーバ制御を実施する。第6の実施形態は、異なるネットワークトポロジーおよびハンドオーバ手順に応じて2つの方法を含む。
【０２４７】
方法1:この方法は、X2方式のハンドオーバに対処するものである。ソースアクセスNEとターゲットアクセスNEは互いにメッセージを送信することができ、コア管理NEは変更されず、すなわち、ソースコア管理NEとターゲットコア管理NEは同じコア管理NEである。図8に示されているように、この方法のフローチャートは以下のステップを含む。
【０２４８】
ステップ801:ソースアクセスNEがターゲットアクセスNEにハンドオーバ要求メッセージを送信する。
【０２４９】
ソースアクセスNEは、ハンドオーバ要求メッセージでUEの許容CSGリストを伝達する。ソースアクセスNEによってUEの許容CSGリスト情報を取得するプロセスについては、第1の実施形態のステップ201の説明を参照されたい。
【０２５０】
注:ソースアクセスNEによってUEの許容CSGリスト情報を取得するプロセスは任意である。UEが、登録された許容CSGリスト情報を有さない場合、第2の実施形態のステップ201で説明したように、ソースアクセスNEがUEの許容CSGリスト情報を取得することはできない。
【０２５１】
任意に、ソースアクセスNEは、ハンドオーバ要求メッセージでターゲットエリアのアクセスモードおよびCSG ID情報を伝達することができる。
【０２５２】
ステップ802:ターゲットアクセスNEは、ターゲットエリアのアクセスモードおよびCSG ID情報、ならびにUEの許容CSGリスト情報を取得する。
【０２５３】
UEの許容CSGリスト情報は、ソースアクセスNEによってハンドオーバ要求メッセージを通じてターゲットアクセスNEに通知される。
【０２５４】
注:ターゲットアクセスNEによってUEの許容CSGリスト情報を取得するプロセスは任意である。UEが、登録された許容CSGリスト情報を有さない場合、ソースアクセスNEがUEの許容CSGリストをターゲットアクセスNEに通知することはできず、ターゲットアクセスNEがUEの許容CSGリスト情報を取得することはできない。
【０２５５】
ターゲットアクセスNEは、ターゲットエリアのアクセスモードおよびCSG IDを以下の方法のうちの少なくとも1つで取得することができる。
【０２５６】
(1)ターゲットアクセスNEは、ソースアクセスNEによって送信されたハンドオーバ要求メッセージを受信し、この場合、ハンドオーバ要求メッセージはターゲットエリアのアクセスモードおよびCSG IDを伝達する。
【０２５７】
(2)ターゲットアクセスNEは、ターゲットエリアIDとアクセスモードとの間およびターゲットエリアIDとCSG IDとの間のマップに問い合わせ、ターゲットエリアIDに応じてターゲットエリアのアクセスモードおよびCSG IDを取得し、この場合、ターゲットアクセスNEは、ターゲットエリアIDとアクセスモードとの間およびターゲットエリアIDとCSG IDとの間のマップによって構成される。
【０２５８】
(3)ターゲットアクセスNEは、ターゲットエリアのセルIDに応じてターゲットエリアのアクセスモードおよびCSG IDを取得し、この場合、セルIDは、ターゲットエリアのアクセスモードおよびCSG IDを含み、ソースアクセスNEによってハンドオーバ要求メッセージを通じてターゲットアクセスNEに通知される。
【０２５９】
(4)HMSまたは事業者のバックエンドシステム、たとえば、事業者のOSSまたはBOSSは、ターゲットエリアとアクセスモードとの間およびターゲットエリアとCSG IDとの間のマップによって構成される。ターゲットアクセスNEは、HMSまたは事業者のバックエンドシステムにターゲットエリアのアクセスモードおよびCSG IDについて問い合わせる。
【０２６０】
たとえば、アクセスNEは、HMSまたは事業者のバックエンドシステムに登録要求メッセージを送信し、HMSまたは事業者のバックエンドシステムは、ターゲットエリアのアクセスモードおよびCSG ID情報を伝達する登録応答メッセージをアクセスNEに送信する。
【０２６１】
ステップ803:ターゲットアクセスNEは、アクセスおよびハンドオーバを実行するかどうかを判定する。
【０２６２】
ターゲットアクセスNEは、ターゲットエリアのアクセスモードおよびCSG ID、ならびにUEの許容CSGリスト情報を取得した後、アクセスモードに応じてターゲットエリアへのハンドオーバを行うかどうかおよび/またはターゲットエリアのCSG IDがUEの許容CSGリストに含まれているかどうかを判定する。ターゲットアクセスNEは、ハンドオーバを開始するかどうかを以下のように判定することができる。
【０２６３】
ターゲットアクセスNEはまず、ターゲットエリアのアクセスモードを判定する。具体的な判定ステップは以下のとおりである。
【０２６４】
(1)ターゲットエリアのアクセスモードがハイブリッドアクセスモードである場合、ターゲットアクセスNEはこのターゲットエリアを選択し、このターゲットエリアのCSG IDがUEの許容CSGリストに含まれているかどうかにかかわらずハンドオーバ手順を開始し、後に続くステップ804bを実行する。任意に、ターゲットアクセスNEは、ターゲットエリアのCSG IDがUEの許容CSGリストに含まれているかどうかを判定し、ターゲットエリアのCSG IDがUEの許容CSGリストに含まれている場合、UEはこのターゲットエリアにおけるCSGメンバーであり、ターゲットエリアのCSG IDがUEの許容CSGリストに含まれていない場合、UEはターゲットエリアの非CSGメンバーであり、したがって、その後ターゲットアクセスNEは、CSGメンバーに対して微分QoS制御のような特別な処理を実行することができる。あるいは、
【０２６５】
(2)ターゲットエリアのアクセスモードがクローズドアクセスモードである場合、ターゲットアクセスNEは、ターゲットエリアのCSG IDがUEの許容CSGリストに含まれているかどうかをさらに判定する。ターゲットエリアのCSG IDがUEの許容CSGリストに含まれている場合、ターゲットアクセスNEはこのターゲットエリアを選択してハンドオーバ手順を開始し、後に続くステップ804bを実行し、ターゲットエリアのCSG IDがUEの許容CSGリストに含まれていない場合、ターゲットアクセスNEがこのターゲットエリアを選択してハンドオーバ手順を開始し、後に続くステップ804aを実行することはできない。
【０２６６】
他の方法は以下のとおりである。ターゲットアクセスNEはまず、ターゲットエリアのCSG IDがUEの許容CSGリストに含まれているかどうかを判定する。具体的な判定ステップは以下のとおりである。
【０２６７】
(1)ターゲットエリアのCSG IDがUEの許容CSGリストに含まれている場合、UEはこのターゲットエリアにおけるCSGメンバーであり、ターゲットアクセスNEはこのターゲットエリアを選択してハンドオーバ手順を開始し、後に続くステップ804bを実行する。
【０２６８】
(2)ターゲットエリアのCSG IDがUEの許容CSGリストに含まれていない場合、すなわち、UEがターゲットエリアにおける非CSGメンバーである場合、ターゲットアクセスNEは、ターゲットエリアのアクセスモードがどちらのアクセスモードであるかを判定する。ターゲットエリアのアクセスモードがハイブリッドアクセスモードである場合、ターゲットアクセスNEはこのターゲットエリアを選択してハンドオーバ手順を開始し、後に続くステップ804bを実行し、ターゲットエリアのアクセスモードがクローズドアクセスモードである場合、ターゲットアクセスNEはこのターゲットエリアを選択してハンドオーバ手順を開始することができず、後に続くステップ804aを実行する。
【０２６９】
注:ターゲットアクセスNEがターゲットエリアのアクセスモードおよびCSG IDを取得したが、UEの許容CSGリストを取得しておらず、たとえば、UEが、登録された許容CSGリスト情報を有さない場合、ターゲットアクセスNEがハンドオーバの決定を下し、UEがCSGメンバーであるかどうかを判定するステップは、第2の実施形態の方法1のステップ202と同様であり、ここでは説明しない。
【０２７０】
ステップ804a:ターゲットアクセスNEはアクセスおよびハンドオーバを拒絶する。
【０２７１】
ターゲットアクセスNEは、ハンドオーバ要求メッセージを拒絶する場合、ソースアクセスNEにハンドオーバ拒絶メッセージを送信する。ハンドオーバ拒絶メッセージは、拒絶が、CSGアクセスが制限されたことによるものであることを示す情報を伝達することができ(たとえば、このメッセージは「原因」値「CSGアクセスが制限された」を伝達する)、あるいはこのメッセージは、UEの許容CSGリスト情報を伝達し、このようにして、ソースアクセスNEがその後、このターゲットエリアをハンドオーバの対象として選択することはなくなる。
【０２７２】
ステップ804b:ターゲットアクセスNEはアクセスおよびハンドオーバを許可する。
【０２７３】
ターゲットアクセスNEは、ハンドオーバ要求メッセージを受け入れる場合、ソースアクセスNEにハンドオーバ要求肯定応答メッセージを返す。
【０２７４】
任意に、このメッセージは、ターゲットエリアのアクセスモードおよびCSG ID情報を伝達することができる。
【０２７５】
ステップ805:ソースアクセスNEは、UEにハンドオーバコマンドメッセージを送信し、UEにターゲットエリアへのハンドオーバを行うよう通知する。
【０２７６】
任意に、ターゲットアクセスNEによってステップ803でUEがCSGメンバーであるかどうかを判定するプロセスは、以下の方法に従ってステップ805で実施することができる。UEは、ターゲットエリアのCSG IDがUEの許容CSGリストに含まれているかどうかを判定することができ、ターゲットエリアのCSG IDがUEの許容CSGリストに含まれている場合、UEはこのターゲットエリアにおけるCSGメンバーであり、ターゲットエリアのCSG IDがUEの許容CSGリストに含まれていない場合、UEはターゲットエリアの非CSGメンバーである。UEは、第2の実施形態の方法1のステップ205に関連してターゲットエリアのアクセスモードおよびCSG ID情報を取得することができる。
【０２７７】
注:任意に、UEは、登録された許容CSGリスト情報を有さない場合、ターゲットエリアの非CSGメンバーであると判定される。
【０２７８】
ステップ806:UEは、ターゲットエリアへのハンドオーバを行い、ターゲットアクセスNEにハンドオーバ確認メッセージを送信する。
【０２７９】
このメッセージは、UEがこのターゲットエリアにおけるCSGメンバーであるかどうかに関する情報を伝達することができ、それによって、その後、ターゲットアクセスNEはCSGメンバーに対して特別な処理、たとえば微分QoS制御を実行することができる。
【０２８０】
ステップ807:ターゲットアクセスNEは、コア管理NEにパス切り替え要求メッセージを送信する。
【０２８１】
ネットワークにターゲットAGWが存在する場合、パス切り替え要求メッセージはターゲットAGWを通してコア管理NEに送信される。
【０２８２】
ステップ808:コア管理NEは、ターゲットアクセスNEにパス切り替え要求肯定応答メッセージを返す。
【０２８３】
ステップ809:ターゲットアクセスNEは、ソースアクセスNEに資源解放メッセージを送信する。
【０２８４】
これで、X2インタフェースのネットワークアーキテクチャにおいて、ターゲットアクセスNEが、ハンドオーバを開始するかどうかを判定し、UEにターゲットエリアへのハンドオーバを実行させるプロセスが終了する。
【０２８５】
方法2:この方法は、S1方式のハンドオーバに対処する方法である。ソースアクセスNEとターゲットアクセスNEは互いにメッセージを送信することができず、コア管理NEを通じてメッセージを送信する必要がある。図9に示されているように、この方法のフローチャートは以下のステップを含む。
【０２８６】
ステップ901:ソースアクセスNEが、ソースコア管理NEにハンドオーバ必要メッセージを送信する。
【０２８７】
任意に、ソースアクセスNEは、ハンドオーバ必要メッセージでターゲットエリアのアクセスモードおよびCSG ID情報を伝達することができる。
【０２８８】
ステップ902:ソースコア管理NEは、ターゲットコア管理NEにフォワードリロケーション要求メッセージを送信する。
【０２８９】
任意に、ソースコア管理NEは、フォワードリロケーション要求メッセージでターゲットエリアのアクセスモードおよびCSG ID情報を伝達する。
【０２９０】
任意に、ソースコア管理NEは、フォワードリロケーション要求メッセージでUEの許容CSGリスト情報を伝達する。
【０２９１】
注:ソースコア管理NEがUEの許容CSGリスト情報を伝達するかどうかは任意である。UEが、登録された許容CSGリスト情報を有さない場合、ソースコア管理NEは、UEの許容CSGリスト情報を取得することができず、したがって、フォワードリロケーション要求メッセージでUEの許容CSGリスト情報を伝達することはできない。
【０２９２】
ステップ903:ターゲットコア管理NEは、ターゲットアクセスNEにハンドオーバ要求メッセージを送信する。
【０２９３】
任意に、ターゲットコア管理NEは、ハンドオーバ要求メッセージでターゲットエリアのアクセスモードおよびCSG ID情報を伝達する。
【０２９４】
ターゲットコア管理NEは、ハンドオーバ要求メッセージでUEの許容CSGリスト情報を伝達する。
【０２９５】
注:ターゲットコア管理NEは、UEの許容CSGリスト情報を伝達してもしなくてもよい。UEが、登録された許容CSGリスト情報を有さない場合、ソースコア管理NEがUEの許容CSGリスト情報をターゲットコア管理NEに通知することはできず、ターゲットコア管理NEがUEの許容CSGリスト情報を取得することはできない。したがって、ターゲットコア管理NEがハンドオーバ要求メッセージでUEの許容CSGリスト情報を伝達することはできない。
【０２９６】
ステップ904:ターゲットアクセスNEは、ターゲットエリアのアクセスモードおよびCSG ID、ならびにUEの許容CSGリスト情報を取得する。UEの許容CSGリスト情報は、ターゲットコア管理NEによってハンドオーバ要求メッセージを通じてターゲットアクセスNEに通知される。
【０２９７】
注:ターゲットアクセスNEによってUEの許容CSGリスト情報を取得するプロセスは任意である。UEが、登録された許容CSGリスト情報を有さない場合、ターゲットコア管理NEがUEの許容CSGリストをターゲットアクセスNEに通知することはできず、ターゲットアクセスNEがUEの許容CSGリスト情報を取得することはできない。
【０２９８】
ターゲットアクセスNEは、ターゲットエリアのアクセスモードおよびCSG IDを以下の方法のうちの少なくとも1つで取得することができる。
【０２９９】
(1)ターゲットアクセスNEは、ターゲットコア管理NEによって送信されたハンドオーバ要求メッセージを受信し、この場合、ハンドオーバ要求メッセージはターゲットエリアのアクセスモードおよびCSG IDを伝達する。
【０３００】
(2)ターゲットアクセスNEは、ターゲットエリアIDとアクセスモードとの間およびターゲットエリアIDとCSG IDとの間のマップに問い合わせ、ターゲットエリアIDに応じてターゲットエリアのアクセスモードおよびCSG IDを取得し、この場合、ターゲットアクセスNEは、ターゲットエリアIDとアクセスモードとの間およびターゲットエリアIDとCSG IDとの間のマップによって構成される。
【０３０１】
(3)ターゲットアクセスNEは、ターゲットエリアのセルIDに応じてターゲットエリアのアクセスモードおよびCSG IDを取得し、この場合、セルIDは、ターゲットエリアのアクセスモードおよびCSG IDを含み、ターゲットコア管理NEによってハンドオーバ要求メッセージを通じてターゲットアクセスNEに通知される。
【０３０２】
(4)HMSまたは事業者のバックエンドシステム、たとえば、事業者のOSSまたはBOSSは、ターゲットエリアとアクセスモードとの間およびターゲットエリアとCSG IDとの間のマップによって構成される。ターゲットアクセスNEは、HMSまたは事業者のバックエンドシステムにターゲットエリアのアクセスモードおよびCSG IDについて問い合わせる。たとえば、アクセスNEは、HMSまたは事業者のバックエンドシステムに登録要求メッセージを送信し、HMSまたは事業者のバックエンドシステムは、ターゲットエリアのアクセスモードおよびCSG ID情報を伝達する登録応答メッセージをアクセスNEに送信する。
【０３０３】
ステップ905:ターゲットアクセスNEは、アクセスおよびハンドオーバを実行するかどうかを判定する。
【０３０４】
ターゲットアクセスNEは、ターゲットエリアのアクセスモードおよびCSG ID、ならびにUEの許容CSGリスト情報を取得した後、アクセスモードに応じてターゲットエリアへのハンドオーバを行うかどうかおよび/またはターゲットエリアのCSG IDがUEの許容CSGリストに含まれているかどうかを判定する。ターゲットアクセスNEがハンドオーバを開始するかどうかおよびUEがCSGメンバーであるかどうか判定するステップは、第6の実施形態の方法1のステップ803と同様である。
【０３０５】
注:ターゲットアクセスNEがターゲットエリアのアクセスモードおよびCSG IDを取得したが、UEの許容CSGリストを取得しておらず、たとえば、UEが、登録された許容CSGリスト情報を有さない場合、ターゲットアクセスNEがハンドオーバの決定を下し、UEがCSGメンバーであるかどうかを判定するステップは、第2の実施形態の方法1のステップ202と同様であり、ここでは説明しない。
【０３０６】
ステップ906a:ターゲットアクセスNEはアクセスおよびハンドオーバを拒絶する。
【０３０７】
ターゲットアクセスNEは、ハンドオーバ要求メッセージを拒絶する場合、ターゲットコア管理NEにハンドオーバ拒絶メッセージを送信する。ハンドオーバ拒絶メッセージは、拒絶が、CSGアクセスが制限されたことによるものであることを示す情報を伝達することができ(たとえば、このメッセージは「原因」値「CSGアクセスが制限された」を伝達する)、あるいはこのメッセージは、UEの許容CSGリスト情報を伝達し、このようにして、ソースアクセスNEがその後、このターゲットエリアをハンドオーバの対象として選択することはなくなる。
【０３０８】
ステップ906b:ターゲットアクセスNEはアクセスおよびハンドオーバを許可する。
【０３０９】
ターゲットアクセスNEは、ハンドオーバ要求メッセージを受け入れる場合、コア管理NEにハンドオーバ要求肯定応答メッセージを返す。
【０３１０】
任意に、このメッセージは、ターゲットエリアのアクセスモードおよびCSG ID情報を伝達することができる。
【０３１１】
AGWが存在する場合、ターゲットアクセスNEはターゲットAGWを通じてターゲットコア管理NEとやり取りする。
【０３１２】
ステップ907:ターゲットコア管理NEは、ソースコア管理NEにフォワードリロケーション応答メッセージを返す。
【０３１３】
ターゲットコア管理NEがハンドオーバ要求肯定応答メッセージを受信した場合、ターゲットアクセスNEは、ハンドオーバが成功したことを示し、ターゲットコア管理NEは、ソースコア管理NEにフォワードリロケーション応答メッセージを送信する。次いで、ステップ908bが実行される。このメッセージは、UEがこのターゲットエリアにおけるCSGメンバーであるかどうかに関する情報を伝達することができる。任意に、このメッセージは、ターゲットエリアのアクセスモードおよびCSG ID情報を伝達することができる。
【０３１４】
ターゲットコア管理NEがハンドオーバ拒絶メッセージを受信した場合、ターゲットコア管理NEによってソースコア管理NEに返されるフォワードリロケーション応答メッセージは、ハンドオーバを拒絶することを示し、拒絶が、CSGアクセスが制限されたことによるものであることを示す情報を伝達することができる(たとえば、このメッセージは「原因」値「CSGアクセスが制限された」を伝達する)。次いで、ステップ908aが実行される。
【０３１５】
ステップ908a:ソースコア管理NEは、ソースアクセスNEにハンドオーバ拒絶メッセージを送信する。
【０３１６】
ターゲットコア管理NEがハンドオーバを拒絶することを示す場合、ソースコア管理NEは、ソースアクセスNEにハンドオーバ拒絶メッセージを送信する。ハンドオーバ拒絶メッセージは、拒絶が、CSGアクセスが制限されたことによるものであることを示す情報を伝達することができる(たとえば、このメッセージは「原因」値「CSGアクセスが制限された」を伝達する)。あるいはこのメッセージは、UEの許容CSGリスト情報を伝達し、それによって、ソースアクセスNEがその後、このターゲットエリアをハンドオーバの対象として選択することはなくなる。
【０３１７】
ステップ908b:ソースコア管理NEはソースアクセスNEにハンドオーバコマンドメッセージを送信する。
【０３１８】
ターゲットコア管理NEがハンドオーバが成功したことを示す場合、ソースコア管理NEは、ソースアクセスNEにハンドオーバコマンドメッセージを送信する。
【０３１９】
任意に、このメッセージは、ターゲットエリアのアクセスモードおよびCSG ID情報を伝達することができる。
【０３２０】
ステップ909:ソースアクセスNEは、ハンドオーバコマンドメッセージを受信した場合、UEにハンドオーバコマンドメッセージを送信し、UEにターゲットエリアへのハンドオーバを行うよう通知する。
【０３２１】
任意に、ステップ905でUEがCSGメンバーであるかどうかについてターゲットアクセスNEに通知することは以下の方法に従ってステップ909で実施することができる。UEは、ターゲットエリアのCSG IDがUEの許容CSGリストに含まれているかを判定することができ、ターゲットエリアのCSG IDがUEの許容CSGリストに含まれている場合、UEはこのターゲットエリアにおけるCSGメンバーであり、ターゲットエリアのCSG IDがUEの許容CSGリストに含まれていない場合、UEはターゲットエリアの非CSGメンバーである。UEは、第2の実施形態の方法1のステップ205に関連してターゲットエリアのアクセスモードおよびCSG ID情報を取得することができる。
【０３２２】
ソースアクセスNEがハンドオーバ拒絶メッセージを受信し、このメッセージが、ハンドオーバに対する拒絶がCSGアクセスが制限されたことによって生じたことを示す情報を伝達する場合、ソースアクセスNEがその後、このターゲットエリアを選択してハンドオーバ手順を開始することはない。
【０３２３】
注:任意に、UEは、登録された許容CSGリスト情報を有さない場合、ターゲットエリアの非CSGメンバーであると判定される。
【０３２４】
ステップ910:UEは、ターゲットエリアへのハンドオーバを行い、ターゲットアクセスNEにハンドオーバ確認メッセージを送信する。
【０３２５】
このメッセージは、UEがこのターゲットエリアにおけるCSGメンバーであるかどうかに関する情報を伝達することができ、それによって、その後、ターゲットアクセスNEはCSGメンバーに対して特別な処理、たとえば微分QoS制御を実行することができる。
【０３２６】
ステップ911:ターゲットアクセスNEは、ターゲットコア管理NEにハンドオーバ通知メッセージを送信し、UEがターゲットエリアへのハンドオーバを行ったことをターゲットコア管理NEに通信する。
【０３２７】
ステップ912:ソースコア管理NEはソースアクセスNEとやり取りしてUEコンテキストを解放する。
【０３２８】
これで、S1インタフェースのネットワークアーキテクチャにおいて、ターゲットアクセスNEが、ハンドオーバを開始するかどうかを判定し、UEにターゲットエリアへのハンドオーバを実行させるプロセスが終了する。
【０３２９】
本発明の第6の実施形態では、ターゲットアクセスNEが、アクセスモードに応じてターゲットエリアへのハンドオーバを行うかどうかおよび/またはターゲットエリアのCSG IDがUEの許容CSGリストに含まれているかどうかを判定し、UEがアクセスを許可されているターゲットエリアへのハンドオーバをUEに確実に行わせる。特に、ターゲットエリアのアクセスモードがハイブリッドアクセスモードであるとき、UEは、ターゲットエリアのCSG IDがUEの許容CSGリストに含まれていない場合でもターゲットエリアへのハンドオーバを確実に行い、したがって、UEのサービスの連続性が確保され、ユーザの体験が向上する。任意に、ターゲットエリアのアクセスモードおよびCSG IDがターゲットアクセスNEから供給されてよく、それによって、ソースアクセスNEがこの情報を取得することによる従来技術に対する修正を低減させることができる。たとえば、この情報は、UEによって報告される測定レポートで伝達される。さらに、ターゲットアクセスNEから供給される情報の方が信頼性が高い。
【０３３０】
任意に、ターゲットエリアのアクセスモードがハイブリッドアクセスモードであり、このターゲットエリアにおけるUEのタイプが判定されると、ソースアクセスNEはこの情報をターゲットアクセスNEに送信する。ターゲットアクセスNEは、UEがCSGメンバーであるかどうかに応じて微分QoS制御を実施する。たとえば、ターゲットアクセスNEは、CSGメンバーに対して微分QoS制御を実施し、すなわち、このCSGメンバーがより高い優先順位でネットワーク資源を使用できるようにし、それによって、ユーザの体験をさらに向上させることができる。
【０３３１】
注:任意に、ターゲットエリアのアクセスモードがハイブリッドアクセスモードであるとき、UEの許容CSGリスト情報が取得されず、たとえば、UEが、登録された許容CSGリスト情報を有さない場合でも、UEはターゲットエリアへのハンドオーバを確実に行い、したがって、UEのサービスの連続性が確保され、ユーザの体験が向上する。
【０３３２】
第7の実施形態のハンドオーバ制御方法では、UEがハンドオーバ時にハンドオーバ制御を実施する。第7の実施形態のフローチャートは、図10に示されており、以下のステップを含む。
【０３３３】
ステップ1001:ソースアクセスNEが、第1の実施形態から第6の実施形態で説明したハンドオーバプロセスと同様な、ターゲットエリアへのハンドオーバを開始する。
【０３３４】
ステップ1002:ソースアクセスNEは、UEにハンドオーバコマンドメッセージを送信し、UEにターゲットエリアへのハンドオーバを行うよう通知する。
【０３３５】
このメッセージは、ターゲットエリアのアクセスモードおよびCSG ID情報を伝達することができる。
【０３３６】
ステップ1003:UEは、ターゲットエリアのアクセスモードおよびCSG ID、ならびにUEの許容CSGリスト情報を取得する。
【０３３７】
注:UEの許容CSGリスト情報を取得するプロセスは任意であり、たとえば、UEは登録された許容CSGリスト情報を有さない。
【０３３８】
UEは、第2の実施形態の方法1のステップ205に関連してターゲットエリアのアクセスモードおよびCSG ID情報を取得することができる。
【０３３９】
UEは、ターゲットエリアのCSG IDがUEの許容CSGリストに含まれているかを判定することができ、ターゲットエリアのCSG IDがUEの許容CSGリストに含まれている場合、UEはこのターゲットエリアにおけるCSGメンバーであり、ターゲットエリアのCSG IDがUEの許容CSGリストに含まれていない場合、UEはターゲットエリアの非CSGメンバーである。
【０３４０】
注:任意に、UEは、登録された許容CSGリスト情報を有さない場合、ターゲットエリアの非CSGメンバーと判定される。
【０３４１】
ステップ1004: UEは、アクセスおよびハンドオーバを実行するかどうかを判定する。
【０３４２】
UEは、ターゲットエリアのアクセスモードおよびCSG ID、ならびにUEの許容CSGリスト情報を取得した後、アクセスモードに応じてターゲットエリアへのハンドオーバを行うかどうかおよび/またはターゲットエリアのCSG IDがUEの許容CSGリストに含まれているかどうかを判定する。UEは、ハンドオーバを開始するかどうかを以下のように判定することができる。
【０３４３】
UEはまず、ターゲットエリアのアクセスモードを判定する。具体的な判定ステップは以下のとおりである。
【０３４４】
(1)ターゲットエリアのアクセスモードがハイブリッドアクセスモードである場合、UEはこのターゲットエリアを選択し、このターゲットエリアのCSG IDがUEの許容CSGリストに含まれているかどうかにかかわらずハンドオーバ手順を開始し、後に続くステップ1005aを実行する。任意に、UEは、ターゲットエリアのCSG IDがUEの許容CSGリストに含まれているかどうかを判定し、ターゲットエリアのCSG IDがUEの許容CSGリストに含まれている場合、UEはこのターゲットエリアにおけるCSGメンバーであり、ターゲットエリアのCSG IDがUEの許容CSGリストに含まれていない場合、UEはターゲットエリアの非CSGメンバーであり、したがって、その後UEがCSGメンバーであるかどうかに関する情報をターゲットアクセスNEに送信することができる。あるいは、
【０３４５】
(2)ターゲットエリアのアクセスモードがクローズドアクセスモードである場合、UEは、ターゲットエリアのCSG IDがUEの許容CSGリストに含まれているかどうかをさらに判定する必要がある。ターゲットエリアのCSG IDがUEの許容CSGリストに含まれている場合、UEはこのターゲットエリアを選択してハンドオーバ手順を開始し、後に続くステップ1005aを実行し、ターゲットエリアのCSG IDがUEの許容CSGリストに含まれていない場合、UEがこのターゲットエリアを選択してハンドオーバ手順を開始することができず、後に続くステップ1005bを実行する。
【０３４６】
他の方法は以下のとおりである。UEはまず、ターゲットエリアのCSG IDがUEの許容CSGリストに含まれているかどうかを判定する。具体的な判定ステップは以下のとおりである。
【０３４７】
(1)ターゲットエリアのCSG IDがUEの許容CSGリストに含まれている場合、UEはこのターゲットエリアにおけるCSGメンバーであり、UEはこのターゲットエリアを選択してハンドオーバ手順を開始し、後に続くステップ1005aを実行する。
【０３４８】
(2)ターゲットエリアのCSG IDがUEの許容CSGリストに含まれていない場合、すなわち、UEがターゲットエリアにおける非CSGメンバーである場合、UEは、ターゲットエリアのアクセスモードがどちらのアクセスモードであるかを判定する。ターゲットエリアのアクセスモードがハイブリッドアクセスモードである場合、UEはこのターゲットエリアを選択してハンドオーバ手順を開始し、後に続くステップ1005aを実行し、ターゲットエリアのアクセスモードがクローズドアクセスモードである場合、UEはこのターゲットエリアを選択してハンドオーバ手順を開始することができず、後に続くステップ1005bを実行する。
【０３４９】
注:UEがターゲットエリアのアクセスモードおよびCSG IDを取得したが、UEの許容CSGリストを取得しておらず、たとえば、UEが、登録された許容CSGリスト情報を有さない場合、UEがハンドオーバの決定を下し、UE自体がCSGメンバーであるかどうかを判定するステップは、第2の実施形態の方法1のステップ202と同様であり、ここでは説明しない。
【０３５０】
ステップ1005a:UEはアクセスおよびハンドオーバを許可する。
【０３５１】
UEは、ハンドオーバコマンドメッセージを受け入れる場合、ターゲットアクセスNEにハンドオーバ確認メッセージを返す。
【０３５２】
任意に、このメッセージは、ターゲットエリアのアクセスモードおよびCSG ID情報を伝達することができる。
【０３５３】
このメッセージは、UEがこのターゲットエリアにおけるCSGメンバーであるかどうかに関する情報を伝達することができ、それによって、その後、ターゲットアクセスNEはCSGメンバーに対して特別な処理、たとえば微分QoS制御を実行することができる。
【０３５４】
ステップ1005b:UEはアクセスおよびハンドオーバを拒絶する。
【０３５５】
UEは、ハンドオーバコマンドメッセージを拒絶する場合、ソースアクセスNEにハンドオーバ拒絶メッセージまたはハンドオーバ取り消しメッセージを送信してハンドオーバが失敗したことまたはハンドオーバを取り消すことを示し、UEがターゲットエリアへのハンドオーバを行うことはできなくなる。ハンドオーバ拒絶メッセージまたはハンドオーバ取り消しメッセージは、拒絶または取り消しが、CSGアクセスが制限されたことによるものであることを示す情報を伝達することができ(たとえば、このメッセージは「原因」値「CSGアクセスが制限された」を伝達する)、あるいはこのメッセージは、UEの許容CSGリスト情報を伝達し、それによって、ソースアクセスNEがその後、このターゲットエリアをハンドオーバの対象として選択することはなくなる。
【０３５６】
ステップ1006:UEがハンドオーバコマンドメッセージを受け入れる場合、ターゲットアクセスNEは、UEから送信され、UEがターゲットエリアへのハンドオーバを行うことができることを示すハンドオーバ確認メッセージを受信し、前述の各実施形態で説明したハンドオーバ手順を実行する。
【０３５７】
ステップ1007:UEがハンドオーバコマンドメッセージを拒絶する場合、ソースアクセスNEは、UEから送信され、UEがターゲットエリアへのハンドオーバを行うことができないことを示すハンドオーバ拒絶メッセージまたはハンドオーバ取り消しメッセージを受信し、ソースコア管理NEにハンドオーバ取り消しメッセージを送信する。
【０３５８】
ソースアクセスNEがハンドオーバ拒絶メッセージまたはハンドオーバ取り消しメッセージを受信し、このメッセージが、ハンドオーバに対する拒絶がCSGアクセスが制限されたことによって生じたことを示す情報を伝達する場合、ソースアクセスNEがその後、このターゲットエリアを選択してハンドオーバ手順を開始することはない。
【０３５９】
ステップ1008:ソースコア管理NEは、ターゲットコア管理NEにハンドオーバ取り消し要求メッセージを送信する。
【０３６０】
ステップ1009:ターゲットコア管理NEはターゲットアクセスNEとやり取りして資源を解放する。
【０３６１】
AGWが存在する場合、ターゲットコア管理NEはターゲットAGWを通じてターゲットアクセスNEとやり取りする。
【０３６２】
ステップ1010:ターゲットコア管理NEは、ソースコア管理NEにハンドオーバ取り消し応答メッセージを送信する。
【０３６３】
ステップ1011:ソースコア管理NEは、ソースアクセスNEにハンドオーバ取り消し肯定応答メッセージを送信する。
【０３６４】
本発明の第7の実施形態では、UEが、アクセスモードに応じてターゲットエリアへのハンドオーバを行うかどうかおよび/またはターゲットエリアのCSG IDがUEの許容CSGリストに含まれているかどうかを判定し、UEがアクセスを許可されているターゲットエリアへのハンドオーバを確実に行う。特に、ターゲットエリアのアクセスモードがハイブリッドアクセスモードであるとき、UEは、ターゲットエリアのCSG IDがUEの許容CSGリストに含まれていない場合でもターゲットエリアへのハンドオーバを確実に行い、したがって、UEのサービスの連続性が確保され、ユーザの体験が向上する。任意に、ターゲットエリアのアクセスモードおよびCSG IDがターゲットアクセスNEから供給されてよく、それによって、ソースアクセスNEがこの情報を取得することによる従来技術に対する修正を低減させることができる。たとえば、この情報は、UEによって報告される測定レポートで伝達される。さらに、ターゲットアクセスNEから供給される情報の方が信頼性が高い。
【０３６５】
任意に、ターゲットエリアのアクセスモードがハイブリッドアクセスモードであり、このターゲットエリアにおけるUEのタイプが判定されると、ソースアクセスNEはこの情報をターゲットアクセスNEに送信する。ターゲットアクセスNEは、UEがCSGメンバーであるかどうかに応じて微分QoS制御を実施する。たとえば、ターゲットアクセスNEは、CSGメンバーに対して微分QoS制御を実施し、すなわち、このCSGメンバーがより高い優先順位でネットワーク資源を使用できるようにし、それによって、ユーザの体験をさらに向上させることができる。
【０３６６】
注:任意に、ターゲットエリアのアクセスモードがハイブリッドアクセスモードであるとき、UEの許容CSGリスト情報が取得されず、たとえば、UEが、登録された許容CSGリスト情報を有さない場合でも、UEはターゲットエリアへのハンドオーバを確実に行い、したがって、UEのサービスの連続性が確保され、ユーザの体験が向上する。
【０３６７】
本発明によるハンドオーバ制御方法は、ハンドオーバ決定プロセスにおいて前述の決定方法に限定されない。他の方法として、UEはまず、ターゲットエリアのアクセスモードを取得して判定し、ターゲットエリアのアクセスモードがハイブリッドアクセスモードである場合、UEはこのターゲットエリアを選択してハンドオーバ手順を開始し、ターゲットエリアのアクセスモードがクローズドアクセスモードである場合、UEは、ターゲットエリアのCSG IDおよびUEの許容CSGリストのような情報を取得し、ターゲットエリアのCSG IDがUEの許容CSGリストに含まれているかどうかを判定する。ターゲットエリアのCSG IDがUEの許容CSGリストに含まれている場合、UEはこのターゲットエリアを選択してハンドオーバ手順を開始する。
【０３６８】
また、UEが、ターゲットエリアのCSG IDがUEの許容CSGリストに含まれていないと判定した場合、UEは、ターゲットエリアのアクセスモードを取得し、ターゲットエリアのアクセスモードがどのアクセスモードであるかを判定する。ターゲットエリアのアクセスモードがハイブリッドアクセスモードである場合、UEは、このターゲットエリアを選択してハンドオーバ手順を開始し、ターゲットエリアのアクセスモードがクローズドアクセスモードである場合、UEは、このターゲットエリアを選択してハンドオーバ手順を開始することはしない。
【０３６９】
注:UEがターゲットエリアのアクセスモードおよびCSG IDを取得したが、UEの許容CSGリストを取得しておらず、たとえば、UEがCSGの加入情報を有さない場合、UEのハンドオーバ制御方法およびプロセスによる、UEがCSGメンバーであるかどうかの判定は、第2の実施形態の方法1のステップ202と同様であり、ここでは説明しない。
【０３７０】
前述のハンドオーバ制御方法に基づいて、本発明の一実施形態は、ハンドオーバ制御装置をさらに提供する。図11に示されているように、ハンドオーバ制御装置1100は、取得ユニット1101とハンドオーバ制御ユニット1102とを含む。
【０３７１】
取得ユニット1101は、ターゲットエリアのアクセスモードおよびCSG IDならびにUEの許容CSGリストを取得するように構成される。
【０３７２】
注:許容CSGリスト情報を取得するプロセスは任意である。UEが、登録された許容CSGリスト情報を有さない場合、UEの許容CSGリストを得ることはできない。
【０３７３】
ハンドオーバ制御ユニット1102は、UEがターゲットエリアへのハンドオーバを行うことができるかどうかを制御するように構成される。具体的には、ハンドオーバ制御ユニット1102は、UEがターゲットエリアへのハンドオーバを行うことができるかどうかを制御するように以下のように構成される。
ターゲットエリアのアクセスモードがハイブリッドアクセスモードである場合、または
ターゲットエリアのアクセスモードがクローズドアクセスモードである場合に、ターゲットエリアのCSG IDがUEの許容CSGリストに含まれているかどうかを判定し、ターゲットエリアのCSG IDがUEの許容CSGリストに含まれている場合、または
ターゲットエリアのCSG IDがUEの許容CSGリストに含まれていない場合に、ターゲットエリアのアクセスモードを判定し、ターゲットエリアのアクセスモードがハイブリッドアクセスモードである場合、またはUEの許容CSGリストが存在しない場合に、ターゲットエリアのアクセスモードを判定し、ターゲットエリアのアクセスモードがハイブリッドアクセスモードである場合、
ハンドオーバ制御ユニット1102は、UEがターゲットエリアへのハンドオーバを行うのを許可する。
【０３７４】
ハンドオーバ制御ユニット1102は、アクセス許可モジュール1103とアクセス拒絶モジュール1104とをさらに含む。
【０３７５】
ターゲットエリアのアクセスモードがハイブリッドアクセスモードである場合、アクセス許可モジュール1103は、ターゲットエリアを選択してハンドオーバ手順を開始することができる。
【０３７６】
ターゲットエリアのアクセスモードがクローズドアクセスモードである場合、ハンドオーバ制御ユニット1102は、ターゲットエリアのCSG IDがUEの許容CSGリストに含まれているかどうかをさらに判定し、ターゲットエリアのCSG IDがUEの許容CSGリストに含まれている場合には、アクセス許可モジュール1103は、ターゲットエリアを選択してハンドオーバ手順を開始することができ、ターゲットエリアのCSG IDがUEの許容CSGリストに含まれていない場合またはUEの許容CSGリストが存在しない場合には、アクセス拒絶モジュール1104はターゲットエリアへのハンドオーバ手順を開始することを拒絶する。
【０３７７】
また、ターゲットエリアのCSG IDがUEの許容CSGリストに含まれており、UEがこのターゲットエリアにおけるCSGメンバーである場合、アクセス許可モジュール1103は、このターゲットエリアを選択してハンドオーバ手順を開始することができる。
【０３７８】
ターゲットエリアのCSG IDがUEの許容CSGリストに含まれていない場合またはUEの許容CSGリストが存在せず、すなわち、UEがターゲットエリアの非CSGメンバーである場合、ハンドオーバ制御ユニット1102は、ターゲットエリアのアクセスモードがどちらのアクセスモードであるかをさらに判定し、ターゲットエリアのアクセスモードがハイブリッドアクセスモードである場合には、アクセス許可モジュール1103は、このターゲットエリアを選択してハンドオーバ手順を開始することができ、ターゲットエリアのアクセスモードがクローズドアクセスモードである場合には、アクセス拒絶モジュール1104はターゲットエリアへのハンドオーバ手順を開始することを拒絶する。
【０３７９】
この実施形態のハンドオーバ制御装置1100は、NEエンティティに内蔵されるかあるいはNEエンティティの外側に接続されたモジュールであってよい。NEエンティティは、ソースアクセスNE、ターゲットアクセスNE、コア管理NE、ソースコア管理NE、またはターゲットコア管理NEである。ハンドオーバ制御装置1100の物理的位置および構造は、複数の形態を有してよく、制限されない。
【０３８０】
この実施形態で提供されるハンドオーバ制御装置は、ターゲットエリアのアクセスモードをハンドオーバ制御において考慮すべき因子として使用し、CSG機構の下でターゲットエリアのアクセスモードに応じてハンドオーバを実行する処理機構を実現し、UEがアクセスを許可されたターゲットエリアへのハンドオーバをUEに確実に行わせ、したがって、UEのサービスの連続性を確保し、ユーザの体験を向上させる。
【０３８１】
任意に、ターゲットエリアのアクセスモードがハイブリッドアクセスモードであり、かつターゲットエリアにおけるUEのタイプが判定されると、ソースアクセスNEはこの情報をターゲットアクセスNEに送信する。ターゲットアクセスNEは、UEがCSGメンバーであるかどうかに応じて微分QoS制御を実施する。たとえば、ターゲットアクセスNEは、CSGメンバーに対して微分QoS制御を実施し、すなわち、CSGメンバーがより高い優先順位でネットワーク資源を使用するのを可能にし、それによってユーザの体験をさらに向上させることができる。
【０３８２】
注:ターゲットエリアのアクセスモードがハイブリッドアクセスモードであるときは、UEの許容CSGリストが取得されず、たとえば、UEが、登録された許容CSGリスト情報を有さない場合でも、UEはターゲットエリアへのハンドオーバを確実に行い、したがって、UEのサービスの連続性が確保され、ユーザの体験が向上する。
【０３８３】
前述のハンドオーバ制御方法に基づいて、本発明の一実施形態はハンドオーバ制御システムをさらに提供する。図12に示されているように、ハンドオーバ制御システムは、ハンドオーバ制御装置1201と情報記憶ユニット1202とを含む。
【０３８４】
情報記憶ユニット1202は、ターゲットエリアのアクセスモードおよびCSG IDなどの情報を格納する、またはそうした情報のマップを生成するように構成される。
【０３８５】
ハンドオーバ制御装置1201は、
ターゲットエリアのアクセスモードおよびCSG IDならびにUEの許容CSGリストを情報記憶ユニット1202から取得するように構成された取得ユニット1203と、
ハンドオーバ制御ユニット1204とを含む。
【０３８６】
ターゲットエリアのアクセスモードがハイブリッドアクセスモードである場合、または
ターゲットエリアのアクセスモードがクローズドアクセスモードである場合に、ターゲットエリアのCSG IDがUEの許容CSGリストに含まれているかどうかを判定し、ターゲットエリアのCSG IDがUEの許容CSGリストに含まれている場合、または
ターゲットエリアのCSG IDがUEの許容CSGリストに含まれていない場合に、ターゲットエリアのアクセスモードを判定し、ターゲットエリアのアクセスモードがハイブリッドアクセスモードである場合、UEの許容CSGリストが存在しない場合に、ターゲットエリアのアクセスモードを判定し、ターゲットエリアのアクセスモードがハイブリッドアクセスモードである場合、
ハンドオーバ制御ユニット1204は、UEがターゲットエリアへのハンドオーバを行うのを許可する。
【０３８７】
図13に示されているように、X2インタフェースのネットワークアーキテクチャでは、ハンドオーバ制御装置1201は、ソースアクセスNE、ターゲットアクセスNE、またはコア管理NEのようなNEエンティティに内蔵されてよい。
【０３８８】
図14に示されているように、S1インタフェースのネットワークアーキテクチャでは、ハンドオーバ制御装置1201は、ソースアクセスNE、ターゲットアクセスNE、ソースコア管理NE、またはターゲットコア管理NEのようなNEエンティティに内蔵されてよい。
【０３８９】
この実施形態のハンドオーバ制御システムは、ターゲットエリアのアクセスモードをハンドオーバ制御において考慮すべき因子として使用し、UEがアクセスを許可されたターゲットエリアへのハンドオーバをUEに確実に行わせ、したがって、UEのサービスの連続性を確保し、ユーザの体験を向上させる。
【０３９０】
任意に、ターゲットエリアのアクセスモードがハイブリッドアクセスモードであり、かつターゲットエリアにおけるUEのタイプが判定されると、ソースアクセスNEはこの情報をターゲットアクセスNEに送信する。ターゲットアクセスNEは、UEがCSGメンバーであるかどうかに応じて微分QoS制御を実施する。たとえば、ターゲットアクセスNEは、CSGメンバーに対して微分QoS制御を実施し、すなわち、CSGメンバーがより高い優先順位でネットワーク資源を使用するのを可能にし、それによってユーザの体験をさらに向上させることができる。
【０３９１】
注:任意に、ターゲットエリアのアクセスモードがハイブリッドアクセスモードであるときは、UEの許容CSGリストが取得されず、たとえば、UEが、登録された許容CSGリスト情報を有さない場合でも、UEはターゲットエリアへのハンドオーバを確実に行い、したがって、UEのサービスの連続性が確保され、ユーザの体験が向上する。
【０３９２】
図15に示されているように、第8の実施形態で提供されるハンドオーバ制御方法は以下のステップを含む。
【０３９３】
ステップ1501:ターゲットエリアのアクセスモードおよびCSG IDを取得する。
【０３９４】
ステップ1502:ターゲットエリアのアクセスモードがハイブリッドアクセスモードである場合、あるいは
ターゲットエリアのアクセスモードがクローズドアクセスモードである場合に、ターゲットエリアのCSG IDがUEの許容CSGリストに含まれているかどうかを判定し、ターゲットエリアのCSG IDがUEの許容CSGリストに含まれている場合、あるいは
ターゲットエリアのCSG IDがUEの許容CSGリストに含まれていない場合に、ターゲットエリアのアクセスモードを判定し、ターゲットエリアのアクセスモードがハイブリッドアクセスモードである場合、あるいは
UEの許容CSGリストが存在しない場合に、ターゲットエリアのアクセスモードを判定し、ターゲットエリアのアクセスモードがハイブリッドアクセスモードである場合、
UEがターゲットエリアへのハンドオーバを行うのを許可する。
【０３９５】
本発明の第8の実施形態で提供されるハンドオーバ制御方法は、ターゲットエリアのアクセスモードをハンドオーバ制御において考慮すべき因子として使用し、CSG機構の下でターゲットエリアのアクセスモードに応じてハンドオーバを実行する処理機構を実現し、UEがアクセスを許可されたターゲットエリアへのハンドオーバをUEに確実に行わせ、したがって、UEのサービスの連続性を確保し、ユーザの体験を向上させる。
【０３９６】
任意に、ターゲットエリアのアクセスモードがハイブリッドアクセスモードであるときは、UEの許容CSGリストが取得されず、たとえば、UEが、登録された許容CSGリスト情報を有さない場合でも、UEはターゲットエリアへのハンドオーバを確実に行い、したがって、UEのサービスの連続性が確保され、ユーザの体験が向上する。
【０３９７】
第9の実施形態のハンドオーバ制御方法では、コア管理NEがハンドオーバ時にハンドオーバ制御を実施する。第9の実施形態はX2方式のハンドオーバに対処する。ソースアクセスNEとターゲットアクセスNEは互いにメッセージを送信することができ、コア管理NEは変更されず、すなわち、ソースコア管理NEとターゲットコア管理NEは同じコア管理NEである。図16に示されているように、第9の実施形態のフローチャートは以下のステップを含む。
【０３９８】
ステップ1601:ソースアクセスNEがターゲットアクセスNEにハンドオーバ要求メッセージを送信する。
【０３９９】
ターゲットアクセスNEは家庭用WAP(たとえば、HNB、HeNB、または家庭用非3GPP WAP)あるいはCSG機能を有するWAP(たとえば、NodeB、eNodeB、または非3GPP WAP)、HNB GW、HeNB W、または家庭用非3GPP WAP GWであってよい。
【０４００】
ステップ1602:ターゲットアクセスNEは、ソースアクセスNEにハンドオーバ要求肯定応答メッセージを返す。
【０４０１】
任意に、ターゲットアクセスNEは、ターゲットエリアのアクセスモードおよびCSG ID情報を伝達することができる。
【０４０２】
ステップ1603:ソースアクセスNEは、UEにハンドオーバコマンドメッセージを送信し、ターゲットエリアにハンドオーバするようUEに通知する。
【０４０３】
UEは、登録された許容CSGリスト情報を有する場合、ターゲットエリアのCSG IDがUEの許容CSGリストに含まれているかどうかを判定することができ、ターゲットエリアのCSG IDがUEの許容CSGリストに含まれている場合、UEはこのターゲットエリアにおけるCSGメンバーであり、ターゲットエリアのCSG IDがUEの許容CSGリストに含まれていない場合、UEはターゲットエリアの非CSGメンバーである。UEは、第2の実施形態の方法1のステップ205に関連してターゲットエリアのアクセスモードおよびCSG ID情報を取得することができる。
【０４０４】
UEは、登録された許容CSGリスト情報を有さない場合、ターゲットエリアの非CSGメンバーであると判定される。
【０４０５】
ステップ1604:UEは、ターゲットエリアへのハンドオーバを行い、ターゲットアクセスNEにハンドオーバ確認メッセージを送信する。
【０４０６】
このメッセージは、UEがこのターゲットエリアにおけるCSGメンバーであるかどうかに関する情報を伝達することができ、それによって、その後、ターゲットアクセスNEはCSGメンバーに対して特別な処理、たとえば微分QoS制御を実行することができる。
【０４０７】
ステップ1605:ターゲットアクセスNEは、コア管理NEにパス切り替え要求メッセージを送信する。
【０４０８】
ターゲットアクセスNEは、このメッセージでターゲットエリアのアクセスモードおよびCSG ID情報を伝達することができる。
【０４０９】
ステップ1606:コア管理NEは、ターゲットエリアのアクセスモードおよびCSG ID情報を取得する。
【０４１０】
コア管理NEは、ターゲットエリアのアクセスモードおよびCSG ID情報を以下の方法のうちの少なくとも1つで取得することができる。
【０４１１】
(1)ターゲットアクセスNEは、パス切り替え要求メッセージでターゲットエリアのアクセスモードおよびCSG ID情報を伝達する。
【０４１２】
(2)コア管理NEは、ターゲットエリアとアクセスモードとの間およびターゲットエリアとCSG IDとの間のマップによって構成される。コア管理NEは、このマップに応じてターゲットエリアのアクセスモードおよびCSG ID情報を取得する。
【０４１３】
(3)コア管理NEは、セルとアクセスモードとの間およびセルとCSG IDとの間のマップによって構成される。ターゲットアクセスNEは、パス切り替え要求メッセージでセル情報を伝達し、コア管理NEは、セル情報に応じてターゲットエリアのアクセスモードおよびCSG ID情報を取得する。
【０４１４】
(4)HMSまたは事業者のバックエンドシステム、たとえば、事業者のOSSまたはBOSSは、ターゲットエリアとアクセスモードとの間およびターゲットエリアとCSG IDとの間のマップによって構成される。コア管理NEは、HMSまたは事業者のバックエンドシステムにターゲットエリアのアクセスモードおよびCSG IDについて問い合わせる。
【０４１５】
コア管理NEは、UEの許容CSGリスト情報をさらに取得するか、あるいはUEの許容CSGリスト情報が存在しないことを知ることができる。たとえば、コア管理NEは、以下の方法に従ってUEの許容CSGリストを取得する。UEがコア管理NEに登録されているとき、コア管理NEがHSSに位置更新メッセージを送信し、HSSがコア管理NEに位置更新肯定応答メッセージを返す。HSSは、このメッセージでUEの許容CSGリスト情報を伝達し、したがって、コア管理NEはUEの許容CSGリスト情報を取得することができる。UEが、登録された許容CSGリスト情報を有さず、HSSが位置更新肯定応答メッセージでUEの許容CSGリスト情報を伝達しない場合、コア管理NEは、UEの許容CSGリストを取得せず、すなわち、UEの許容CSGリスト情報が存在しないことを知る。あるいはHSSがコア管理NEに加入者データ挿入メッセージを能動的に送信し、HSSに記憶されている加入データにUEの許容CSGリスト情報が含まれていないとき、HSSは、加入情報にUEの許容CSGリストが含まれていないことをコア管理NEに通知し、したがって、コア管理NEは、UEの許容CSGリスト情報が存在しないことを知り、あるいはコア管理NEは、UEの以前のサービス処理で保存されたデータに応じてUEの許容CSGリスト情報が存在しないことを知ることができる。
【０４１６】
AGWが存在する場合、このメッセージは、ターゲットAGWを通じてコア管理NEに送信される。
【０４１７】
ステップ1607:コア管理NEは、アクセスおよびハンドオーバを実行するかどうかを判定する。
【０４１８】
コア管理NEは、ターゲットエリアのアクセスモードおよびCSG IDを取得した後、アクセスモードに応じてターゲットエリアへのハンドオーバを行うかどうかおよび/またはターゲットエリアのCSG IDがUEの許容CSGリストに含まれているかどうかを判定する。コア管理NEは、ハンドオーバを開始するかどうかを以下のように判定することができる。
【０４１９】
コア管理NEはまず、ターゲットエリアのアクセスモードを判定する。具体的な判定ステップは以下のとおりである。
【０４２０】
(1)ターゲットエリアのアクセスモードがハイブリッドアクセスモードである場合、コア管理NEはこのターゲットエリアを選択し、コア管理NEがUEの許容CSGリストを取得するかどうかにかかわらず、またはこのターゲットエリアのCSG IDがUEの許容CSGリストに含まれているかどうかにかかわらずハンドオーバ手順を開始し、後に続くステップ1608bを実行する。
【０４２１】
コア管理NEは、UEの許容CSGリスト情報を取得しなかった場合、UEがターゲットエリアの非CSGメンバーであるとさらに判定し、UEが非CSGメンバーであることを示す情報をターゲットアクセスNEに送信することができる。
【０４２２】
コア管理NEは、UEの許容CSGリスト情報を取得した場合、ターゲットエリアのCSG IDがUEの許容CSGリストに含まれているかどうかを判定し、ターゲットエリアのCSG IDがUEの許容CSGリストに含まれている場合、UEはこのターゲットエリアにおけるCSGメンバーであり、ターゲットエリアのCSG IDがUEの許容CSGリストに含まれていない場合、UEはターゲットエリアの非CSGメンバーであり、したがって、その後UEがCSGメンバーであるかどうかに関する情報をターゲットアクセスNEに送信することができる。あるいは、
【０４２３】
(2)ターゲットエリアのアクセスモードがクローズドアクセスモードである場合、コア管理NEは、ターゲットエリアのCSG IDがUEの許容CSGリストに含まれているかどうかを判定する。
【０４２４】
UEが、登録された許容CSGリスト情報を有さない場合、コア管理NEは、UEの許容CSGリストを取得せず、このターゲットエリアを選択してハンドオーバ手順を開始することができず、後に続くステップ1608aを実行する。
【０４２５】
UEが、登録された許容CSGリスト情報を有する場合、コア管理NEはUEの許容CSGリストを取得し、ターゲットエリアのCSG IDがUEの許容CSGリストに含まれている場合、コア管理NEはこのターゲットエリアを選択してハンドオーバ手順を開始し、後に続くステップ1608bを実行し、ターゲットエリアのCSG IDがUEの許容CSGリストに含まれていない場合、コア管理NEがこのターゲットエリアを選択してハンドオーバ手順を開始することができず、後に続くステップ1608aを実行する。
【０４２６】
他の方法は以下のとおりである。コア管理NEはまず、ターゲットエリアのCSG IDがUEの許容CSGリストに含まれているかどうかを判定する。具体的な判定ステップは以下のとおりである。
【０４２７】
(1)UEが、登録された許容CSGリスト情報を有する場合、コア管理NEはUEの許容CSGリストを取得する。
【０４２８】
1)ターゲットエリアのCSG IDがUEの許容CSGリストに含まれている場合、UEはこのターゲットエリアにおけるCSGメンバーであり、コア管理NEはこのターゲットエリアを選択してハンドオーバ手順を開始し、後に続くステップ1608bを実行する。
【０４２９】
2)ターゲットエリアのCSG IDがUEの許容CSGリストに含まれていない場合、すなわち、UEがターゲットエリアにおける非CSGメンバーである場合、コア管理NEは、ターゲットエリアのアクセスモードがどちらのアクセスモードであるかを判定する。ターゲットエリアのアクセスモードがハイブリッドアクセスモードである場合、コア管理NEはこのターゲットエリアを選択してハンドオーバ手順を開始し、後に続くステップ1608bを実行し、ターゲットエリアのアクセスモードがクローズドアクセスモードである場合、コア管理NEはこのターゲットエリアを選択してハンドオーバ手順を開始することができず、後に続くステップ1608aを実行する。
【０４３０】
(2)UEが許容CSGリスト情報を有さず、すなわち、コア管理NEがUEの許容CSGリストを取得せず、UEがターゲットエリアにおける非CSGメンバーである場合、コア管理NEは、ターゲットエリアのアクセスモードがどちらのアクセスモードであるかをさらに判定する。ターゲットエリアのアクセスモードがハイブリッドアクセスモードである場合、コア管理NEはこのターゲットエリアを選択してハンドオーバ手順を開始し、後に続くステップ1608bを実行し、ターゲットエリアのアクセスモードがクローズドアクセスモードである場合、コア管理NEはこのターゲットエリアを選択してハンドオーバ手順を開始することができず、後に続くステップ1608aを実行する。
【０４３１】
ステップ1608a:コア管理NEはアクセスおよびハンドオーバを拒絶する。
【０４３２】
コア管理NEは、ターゲットアクセスNEのパス切り替え要求メッセージを拒絶する場合、ターゲットアクセスNEにハンドオーバ拒絶メッセージを送信する。ハンドオーバ拒絶メッセージは、拒絶が、CSGアクセスが制限されたことによるものであることを示す情報を伝達することができ(たとえば、このメッセージは「原因」値「CSGアクセスが制限された」を伝達する)、あるいはこのメッセージは、UEの許容CSGリスト情報を伝達し、このようにして、ソースアクセスNEがその後、このターゲットエリアをハンドオーバの対象として選択することはなくなる。
【０４３３】
ステップ1608b:コア管理NEはアクセスおよびハンドオーバを許可する。
【０４３４】
コア管理NEは、ターゲットアクセスNEのパス切り替え要求メッセージを受け入れる場合、ターゲットアクセスNEにパス切り替え要求肯定応答メッセージを返し、この場合、パス切り替え要求肯定応答メッセージは、UEがこのターゲットエリアにおけるCSGメンバーであるかどうかに関する情報を伝達することができ、それによって、その後、ターゲットアクセスNEはCSGメンバーに対して特別な処理、たとえば微分QoS制御を実行することができる。
【０４３５】
ステップ1609:ターゲットアクセスNEはソースアクセスNEに資源解放メッセージを送信する。
【０４３６】
これで、コア管理NEが、ハンドオーバを開始するかどうかを判定し、UEにターゲットエリアへのハンドオーバを実行させるプロセスが終了する。
【０４３７】
本発明の第9の実施形態では、ソースコア管理NEが、アクセスモードに応じてターゲットエリアへのハンドオーバを行うかどうかおよび/またはターゲットエリアのCSG IDがUEの許容CSGリストに含まれているかどうかを判定し、UEがアクセスを許可されているターゲットエリアへのハンドオーバをUEに確実に行わせる。特に、ターゲットエリアのアクセスモードがハイブリッドアクセスモードであるとき、UEは、登録された許容CSGリスト情報を有さずかつUEの許容CSGリストが取得されないかあるいはターゲットエリアのCSG IDがUEの許容CSGリストに含まれていない場合でもターゲットエリアへのハンドオーバを確実に行い、したがって、UEのサービスの連続性が確保され、ユーザの体験が向上する。任意に、ターゲットエリアのアクセスモードおよびCSG IDがターゲットアクセスNEから供給されてよく、それによって、ソースアクセスNEがこの情報を取得することによる従来技術に対する修正を低減させることができる。たとえば、この情報は、UEによって報告される測定レポートで伝達される。さらに、ターゲットアクセスNEから供給される情報の方が信頼性が高い。
【０４３８】
任意に、ターゲットエリアのアクセスモードがハイブリッドアクセスモードであり、このターゲットエリアにおけるUEのタイプが判定されると、ソースアクセスNEはこの情報をターゲットアクセスNEに送信する。ターゲットアクセスNEは、UEがCSGメンバーであるかどうかに応じて微分QoS制御を実施する。たとえば、ターゲットアクセスNEは、CSGメンバーに対して微分QoS制御を実施し、すなわち、このCSGメンバーがより高い優先順位でネットワーク資源を使用できるようにし、それによって、ユーザの体験をさらに向上させることができる。
【０４３９】
したがって、本発明の各実施形態は他のハンドオーバ制御方法を提供し、ハンドオーバ時のハンドオーバ制御は、ソースアクセスNE、ソースコア管理NE、ターゲットコア管理NE、ターゲットアクセスNE、およびUEによって実施することができる。特定のシグナリング手順については、第2、第4、第5、第6、および第7の実施形態を参照されたい。特定の取得プロセスおよび判定プロセスについては、第9の実施形態の説明を参照されたい。
【０４４０】
本発明によるハンドオーバ制御方法は、アクセスモードに応じてターゲットエリアへのハンドオーバを行うかどうかおよび/またはターゲットエリアのCSG IDがUEの許容CSGリストに含まれているかどうかを判定し、UEがアクセスを許可されているターゲットエリアへのハンドオーバをUEに確実に行わせる。特に、ターゲットエリアのアクセスモードがハイブリッドアクセスモードであるとき、UEは、登録された許容CSGリスト情報を有さずかつUEの許容CSGリストが取得されないかあるいはターゲットエリアのCSG IDがUEの許容CSGリストに含まれていない場合でもターゲットエリアへのハンドオーバを確実に行い、したがって、UEのサービスの連続性が確保され、ユーザの体験が向上する。任意に、ターゲットエリアのアクセスモードがハイブリッドアクセスモードであり、このターゲットエリアにおけるUEのタイプが判定されると、ソースアクセスNEはこの情報をターゲットアクセスNEに送信する。ターゲットアクセスNEは、UEがCSGメンバーであるかどうかに応じて微分QoS制御を実施する。たとえば、ターゲットアクセスNEは、CSGメンバーに対して微分QoS制御を実施し、すなわち、このCSGメンバーがより高い優先順位でネットワーク資源を使用できるようにし、それによって、ユーザの体験をさらに向上させることができる。
【０４４１】
前述のハンドオーバ制御方法に基づいて、本発明の一実施形態は、ハンドオーバ制御装置をさらに提供する。図17に示されているように、ハンドオーバ制御装置1700は、
ターゲットエリアのアクセスモードおよびCSG IDを取得するように構成された取得ユニット1701と、
ハンドオーバ制御ユニット1702とを含む。
【０４４２】
ハンドオーバ制御ユニット1702は、UEがターゲットエリアへのハンドオーバを行うことができるかどうかを制御するように以下のように構成される。
ターゲットエリアのアクセスモードがハイブリッドアクセスモードである場合、または
ターゲットエリアのアクセスモードがクローズドアクセスモードである場合に、ターゲットエリアのCSG IDがUEの許容CSGリストに含まれているかどうかを判定し、ターゲットエリアのCSG IDがUEの許容CSGリストに含まれている場合、または
ターゲットエリアのCSG IDがUEの許容CSGリストに含まれていない場合に、ターゲットエリアのアクセスモードを判定し、ターゲットエリアのアクセスモードがハイブリッドアクセスモードである場合、または
UEの許容CSGリストが存在しない場合に、ターゲットエリアのアクセスモードを判定し、ターゲットエリアのアクセスモードがハイブリッドアクセスモードである場合、
ハンドオーバ制御ユニット1702は、UEがターゲットエリアへのハンドオーバを行うのを許可する。
【０４４３】
ハンドオーバ制御ユニット1702は、アクセス許可モジュール1703とアクセス拒絶モジュール1704とをさらに含む。
【０４４４】
ターゲットエリアのアクセスモードがハイブリッドアクセスモードである場合、アクセス許可モジュール1703は、ターゲットエリアを選択してハンドオーバ手順を開始することができる。
【０４４５】
ターゲットエリアのアクセスモードがクローズドアクセスモードである場合、ハンドオーバ制御ユニット1702は、ターゲットエリアのCSG IDがUEの許容CSGリストに含まれているかどうかをさらに判定し、ターゲットエリアのCSG IDがUEの許容CSGリストに含まれている場合には、アクセス許可モジュール1703は、ターゲットエリアを選択してハンドオーバ手順を開始することができ、ターゲットエリアのCSG IDがUEの許容CSGリストに含まれていない場合、またはUEの許容CSGリストが存在しない場合には、アクセス拒絶モジュール1704は、ターゲットエリアへのハンドオーバ手順を開始することを拒絶する。
【０４４６】
また、ターゲットエリアのCSG IDがUEの許容CSGリストに含まれている場合、UEは、ターゲットエリアのCSGメンバーであり、アクセス許可モジュール1703は、ターゲットエリアを選択してハンドオーバ手順を開始する。
【０４４７】
ターゲットエリアのCSG IDがUEの許容CSGリストに含まれていない場合、またはUEの許容CSGリストが存在しない場合には、UEは、ターゲットエリアの非CSGメンバーであり、ハンドオーバ制御ユニット1702は、ターゲットエリアのアクセスモードがどのアクセスモードであるかをさらに判定し、ターゲットエリアのアクセスモードがハイブリッドアクセスモードである場合、アクセス許可モジュール1703は、このターゲットエリアを選択してハンドオーバ手順を開始することができ、ターゲットエリアのアクセスモードがクローズドアクセスモードである場合、アクセス拒絶モジュール1704は、このターゲットエリアへのハンドオーバ手順を開始することを拒絶する。
【０４４８】
この実施形態のハンドオーバ制御装置1700は、NEエンティティに内蔵または接続されてよい。NEエンティティは、ソースアクセスNE、ターゲットアクセスNE、コア管理NE、ソースコア管理NE、またはターゲットコア管理NEである。ハンドオーバ制御装置1700の物理的位置および構造は、複数の形態を有してよく、制限されない。
【０４４９】
この実施形態で提供されるハンドオーバ制御装置は、ターゲットエリアのアクセスモードをハンドオーバ制御において考慮すべき因子として使用し、CSG機構の下でターゲットエリアのアクセスモードに応じてハンドオーバを実行する処理機構を実現し、UEがアクセスを許可されたターゲットエリアへのハンドオーバをUEに確実に行わせ、したがって、UEのサービスの連続性を確保し、ユーザの体験を向上させる。
【０４５０】
任意に、ターゲットエリアのアクセスモードがハイブリッドアクセスモードであり、このターゲットエリアにおけるUEのタイプが判定されると、ソースアクセスNEはこの情報をターゲットアクセスNEに送信する。ターゲットアクセスNEは、UEがCSGメンバーであるかどうかに応じて微分QoS制御を実施する。たとえば、ターゲットアクセスNEは、CSGメンバーに対して微分QoS制御を実施し、すなわち、このCSGメンバーがより高い優先順位でネットワーク資源を使用できるようにし、それによって、ユーザの体験をさらに向上させることができる。
【０４５１】
前述のハンドオーバ制御方法に基づいて、本発明の一実施形態は、ハンドオーバ制御システムをさらに提供する。図18に示されているように、ハンドオーバ制御システムは、ハンドオーバ制御装置1801と情報記憶ユニット1802とを含む。
【０４５２】
情報記憶ユニット1802は、ターゲットエリアのアクセスモードおよびCSG IDならびにUEの許容CSGリストのような情報を記憶するか、あるいはこの情報のマップを生成するように構成される。UEが許容CSGリスト情報を有さない場合、情報記憶ユニット1802は、許容CSGリスト情報を記憶しない。
【０４５３】
ハンドオーバ制御装置1801は、
ターゲットエリアのアクセスモードおよびCSG IDを情報記憶ユニット1802から取得するように構成された取得ユニット1803と、
ハンドオーバ制御ユニット1804とを含む。
【０４５４】
ターゲットエリアのアクセスモードがハイブリッドアクセスモードである場合、または
ターゲットエリアのアクセスモードがクローズドアクセスモードである場合に、ターゲットエリアのCSG IDがUEの許容CSGリストに含まれているかどうかを判定し、ターゲットエリアのCSG IDがUEの許容CSGリストに含まれている場合、または
ターゲットエリアのCSG IDがUEの許容CSGリストに含まれていない場合に、ターゲットエリアのアクセスモードを判定し、ターゲットエリアのアクセスモードがハイブリッドアクセスモードである場合、または
UEの許容CSGリストが存在しない場合に、ターゲットエリアのアクセスモードを判定し、ターゲットエリアのアクセスモードがハイブリッドアクセスモードである場合、
ハンドオーバ制御ユニット1804は、UEがターゲットエリアへのハンドオーバを行うのを許可する。
【０４５５】
図13に示されているように、X2インタフェースのネットワークアーキテクチャでは、ハンドオーバ制御装置1801は、ソースアクセスNE、ターゲットアクセスNE、またはコア管理NEのようなNEエンティティに内蔵されてよい。
【０４５６】
図14に示されているように、S1インタフェースのネットワークアーキテクチャでは、ハンドオーバ制御装置1801は、ソースアクセスNE、ターゲットアクセスNE、ソースコア管理NE、またはターゲットコア管理NEのようなNEエンティティに内蔵されてよい。
【０４５７】
この実施形態のハンドオーバ制御システムは、ターゲットエリアのアクセスモードをハンドオーバ制御において考慮すべき因子として使用し、UEがアクセスを許可されたターゲットエリアへのハンドオーバをUEに確実に行わせ、したがって、UEのサービスの連続性を確保し、ユーザの体験を向上させる。
【０４５８】
任意に、ターゲットエリアのアクセスモードがハイブリッドアクセスモードであり、かつターゲットエリアにおけるUEのタイプが判定されると、ソースアクセスNEはこの情報をターゲットアクセスNEに送信する。ターゲットアクセスNEは、UEがCSGメンバーであるかどうかに応じて微分QoS制御を実施する。たとえば、ターゲットアクセスNEは、CSGメンバーに対して微分QoS制御を実施し、すなわち、CSGメンバーがより高い優先順位でネットワーク資源を使用するのを可能にし、それによってユーザの体験をさらに向上させることができる。
【０４５９】
本発明について例示的な各実施形態を介して説明したが、本発明はそのような実施形態に限定されない。当業者には、本発明の要旨および範囲から逸脱せずに本発明の修正および変形を施せることが明らかである。本発明は、特許請求の範囲またはその均等物によって定義される保護の範囲内であるかぎりそれらの修正および変形を対象とするものである。
【符号の説明】
【０４６０】
1100、1201、1700、1801  ハンドオーバ制御装置
1101、1203、1701、1803  取得ユニット
1102、1204、1702、1804  ハンドオーバ制御ユニット
1103、1703  アクセス許可モジュール
1104、1704  アクセス拒絶モジュール
1202、1802  情報記憶ユニット
AGW  アクセスゲートウェイ
CSG  クローズド加入者グループ
HMS  ホーム管理サーバ
HSS  ホーム加入者サーバ
NE  ネットワーク要素
UE  ユーザ端末
【図１】
2012525026.tif 000003
【図２】
2012525026.tif 000004
【図３】
2012525026.tif 000005
【図４】
2012525026.tif 000006
【図５】
2012525026.tif 000007
【図６】
2012525026.tif 000008
【図７】
2012525026.tif 000009
【図８】
2012525026.tif 000010
【図９】
2012525026.tif 000011
【図１０】
2012525026.tif 000012
【図１１】
2012525026.tif 000013
【図１２】
2012525026.tif 000014
【図１３】
2012525026.tif 000015
【図１４】
2012525026.tif 000016
【図１５】
2012525026.tif 000017
【図１６】
2012525026.tif 000018
【図１７】
2012525026.tif 000019
【図１８】
2012525026.tif 000020
【手続補正書】
【提出日】平成23年12月1日(2011.12.1)
【手続補正１】
【補正対象書類名】特許請求の範囲
【補正対象項目名】全文
【補正方法】変更
【補正の内容】
【特許請求の範囲】
【請求項１】
ハンドオーバ制御方法であって、
ターゲットエリアのアクセスモードおよびクローズド加入者グループ(CSG)識別子(ID)を取得するステップと、
前記ターゲットエリアの前記アクセスモードがハイブリッドアクセスモードである場合、UEが前記ターゲットエリアへハンドオーバされることを許可し、または、
前記ターゲットエリアの前記アクセスモードがクローズドアクセスモードである場合、前記ターゲットエリアの前記CSG IDが前記UEの許容CSGリストに含まれているかどうかを判定し、前記ターゲットエリアの前記CSG IDが前記UEの前記許容CSGリストに含まれる場合、前記UEが前記ターゲットエリアへハンドオーバされることを許可し、または、
前記ターゲットエリアの前記CSG IDが前記UEの前記許容CSGリストに含まれていない場合、前記ターゲットエリアの前記アクセスモードを判定し、前記ターゲットエリアの前記アクセスモードがハイブリッドアクセスモードである場合、前記UEが前記ターゲットエリアへハンドオーバされることを許可し、または
前記UEの前記許容CSGリストが存在しない場合、前記ターゲットエリアの前記アクセスモードを判定し、前記ターゲットエリアの前記アクセスモードが前記ハイブリッドアクセスモードである場合、前記UEが前記ターゲットエリアへハンドオーバされることを許可するステップとを含む方法。
【請求項２】
前記ターゲットエリアの前記アクセスモードおよびCSG IDを取得するエンティティはソースアクセスネットワーク要素(NE)であり、前記ソースアクセスNEによって前記ターゲットエリアの前記アクセスモードおよびCSG IDを取得するステップは、
前記UEによって報告され、前記ターゲットエリアの前記アクセスモードおよびCSG IDを伝達する測定レポートを前記ソースアクセスNEによって受信するステップを含む、請求項1に記載の方法。
【請求項３】
前記ターゲットエリアの前記アクセスモードおよびCSG IDを取得するエンティティはコア管理ネットワーク要素(NE)であり、前記コア管理NEによって前記ターゲットエリアの前記アクセスモードおよびCSG IDを取得するステップは、
ターゲットアクセスNEによって送信され、前記ターゲットエリアの前記アクセスモードおよびCSG IDを伝達するパス切り替え要求メッセージを前記コア管理NEによって受信するステップを含む、請求項1に記載の方法。
【請求項４】
前記ターゲットエリアの前記アクセスモードおよびCSG IDを取得するエンティティはソースコア管理ネットワーク要素(NE)であり、前記ソースコア管理NEによって前記ターゲットエリアの前記アクセスモードおよびCSG IDを取得するステップは、
ソースアクセスNEによって送信され、前記ターゲットエリアの前記アクセスモードおよびCSG IDを伝達するハンドオーバ必要メッセージを前記ソースコア管理NEによって受信するステップを含む、請求項1に記載の方法。
【請求項５】
前記ターゲットエリアの前記アクセスモードおよびCSG IDを取得するエンティティはターゲットコア管理ネットワーク要素(NE)であり、前記ターゲットコア管理NEによって前記ターゲットエリアの前記アクセスモードおよびCSG IDを取得するステップは、
ターゲットアクセスNEによって送信され、前記ターゲットエリアの前記アクセスモードおよびCSG IDを伝達するハンドオーバ要求肯定応答メッセージを前記ターゲットコア管理NEによって受信するステップ、または
ソースコア管理NEによって送信され、前記ターゲットエリアの前記アクセスモードおよびCSG IDを伝達するフォワードリロケーション要求メッセージを前記ターゲットコア管理NEによって受信するステップを含む請求項1に記載の方法。
【請求項６】
前記ターゲットエリアの前記アクセスモードおよびCSG IDを取得するエンティティはターゲットアクセスネットワーク要素(NE)であり、前記ターゲットアクセスNEによって前記ターゲットエリアの前記アクセスモードおよびCSG IDを取得するステップは、
ソースアクセスNEによって送信され、前記ターゲットエリアの前記アクセスモードおよびCSG IDを伝達するハンドオーバ要求メッセージを前記ターゲットアクセスNEによって受信するステップ、または
ターゲットコア管理NEによって送信され、前記ターゲットエリアの前記アクセスモードおよびCSG IDを伝達するハンドオーバ要求メッセージを前記ターゲットアクセスNEによって受信するステップを含む請求項1に記載の方法。
【請求項７】
前記ターゲットエリアの前記アクセスモードおよびCSG IDを取得するエンティティは前記UEであり、前記UEによって前記ターゲットエリアの前記アクセスモードおよびCSG IDを取得するステップは、
ソースアクセスNEによって送信され、前記ターゲットエリアの前記アクセスモードおよびCSG IDを伝達するハンドオーバコマンドメッセージを前記UEよって受信するステップを含む、請求項1に記載の方法。
【請求項８】
前記ターゲットエリアの前記アクセスモードがハイブリッドアクセスモードである場合に前記UEが前記ターゲットエリアへのハンドオーバを行うのを許可するステップの後に、前記UEのユーザが前記ターゲットエリアにおけるCSGメンバーであるかどうかを知るステップをさらに含む、請求項1に記載の方法。
【請求項９】
前記ターゲットエリアの前記CSG IDが前記UEの許容CSGリストに含まれている場合に、前記UEがCSGメンバーであることを知るステップ、あるいは
前記ターゲットエリアの前記CSG IDが前記UEの前記許容CSGリストに含まれていない場合、または前記UEの許容CSGリストが存在しない場合に、前記UEが非CSGメンバーであることを知るステップを含む、請求項1に記載の方法。
【請求項１０】
前記UEがCSGメンバーであるかどうかに関する情報をターゲットアクセスネットワーク要素(NE)に送信するステップをさらに含む、請求項8または9に記載の方法。
【請求項１１】
前記USが前記ターゲットエリアへのハンドオーバを行うのを許可するエンティティはソースコア管理NEであり、前記UEがCSGメンバーであるかどうかに関する前記情報を前記ソースコア管理NEによって前記ターゲットアクセスNEに送信するステップは、
前記ソースコア管理NEによってターゲットコア管理NEにフォワードリロケーション要求メッセージを送信し、前記ターゲットコア管理NEによってターゲットアクセスNEにハンドオーバ要求メッセージを送信するステップを含み、前記フォワードリロケーション要求メッセージおよび前記ハンドオーバ要求メッセージはすべて、前記UEがCSGメンバーであるかどうかに関する前記情報を伝達する、請求項10に記載の方法。
【請求項１２】
ハンドオーバ制御装置であって、
ターゲットエリアのアクセスモードおよびクローズド加入者グループ(CSG)の識別子(ID)を取得するように構成された取得ユニットと、
前記ターゲットエリアの前記アクセスモードがハイブリッドアクセスモードである場合にUEが前記ターゲットエリアへのハンドオーバを行うのを許可し、あるいは
前記ターゲットエリアの前記アクセスモードがクローズドアクセスモードである場合に、前記ターゲットエリアの前記CSG IDが前記UEの許容CSGリストに含まれているかどうかを判定し、前記ターゲットエリアの前記CSG IDが前記UEの前記許容CSGリストに含まれている場合、前記UEが前記ターゲットエリアへのハンドオーバを行うのを許可し、あるいは
前記ターゲットエリアの前記CSG IDが前記UEの前記許容CSGリストに含まれていない場合、前記ターゲットエリアの前記アクセスモードを判定し、前記ターゲットエリアの前記アクセスモードが前記ハイブリッドアクセスモードである場合、前記UEが前記ターゲットエリアへのハンドオーバを行うのを許可し、あるいは
前記UEの前記許容CSGリストが存在しない場合に、前記ターゲットエリアの前記アクセスモードを判定し、前記ターゲットエリアの前記アクセスモードが前記ハイブリッドアクセスモードである場合、前記UEが前記ターゲットエリアへのハンドオーバを行うのを許可するように構成されたハンドオーバ制御ユニットとを備える装置。
【請求項１３】
前記ハンドオーバ制御ユニットは、アクセス許可モジュールとアクセス拒絶モジュールとをさらに備える、請求項12に記載の装置。
【請求項１４】
ハンドオーバ制御システムであって、
情報記憶ユニットと、
ターゲットエリアのアクセスモードおよびクローズド加入者グループ(CSG)識別子(ID)を前記情報記憶ユニットから取得するように構成された取得ユニット、および
前記ターゲットエリアの前記アクセスモードがハイブリッドアクセスモードである場合にUEが前記ターゲットエリアにハンドオーバを行うのを許可し、あるいは
前記ターゲットエリアの前記アクセスモードがクローズドアクセスモードである場合に、前記ターゲットエリアの前記CSG IDが前記UEの許容CSGリストに含まれているかどうかを判定し、前記ターゲットエリアの前記CSG IDが前記UEの前記許容CSGリストに含まれている場合、前記UEが前記ターゲットエリアにハンドオーバを行うのを許可し、あるいは
前記ターゲットエリアの前記CSG IDが前記UEの前記許容CSGリストに含まれていない場合に、前記ターゲットエリアの前記アクセスモードを判定し、前記ターゲットエリアの前記アクセスモードが前記ハイブリッドアクセスモードである場合、前記UEが前記ターゲットエリアにハンドオーバを行うのを許可し、あるいは
前記UEの前記許容CSGリストが存在しない場合に、前記ターゲットエリアの前記アクセスモードを判定し、前記ターゲットエリアの前記アクセスモードが前記ハイブリッドアクセスモードである場合、前記UEが前記ターゲットエリアへのハンドオーバを行うのを許可するように構成されたハンドオーバ制御ユニットを備えるハンドオーバ制御装置とを備えるシステム。
【請求項１５】
前記ハンドオーバ制御装置は、ソースアクセスネットワーク要素(NE)、ターゲットアクセスNE、コア管理NE、ソースコア管理NE、またはターゲットコア管理NEに内蔵される、請求項14に記載のシステム。
【国際調査報告】
2012525026.tif 000021
2012525026.tif 000022
2012525026.tif 000023
2012525026.tif 000024
2012525026.tif 000025